(57)【要約】      （修正有）【課題】マイクロ流体システムで分析（例えば、免疫学的検定）を行うための流体コネクタ、方法、および装置を提供する。【解決手段】２つの独立チャネル２４，３４の間の流体連通を可能にするように、基板２０に形成される２つの独立チャネルを接続するための流路４２を有する流体コネクタ４０が使用される。独立チャネルの一方または両方は、分析を行うために使用されることができる試薬（例えば、抗体溶液、洗浄緩衝剤、および増幅試薬）によって事前充填されてもよい。これらの試薬は、使用前に長期間（例えば、１年）にわたって基板のチャネルに格納されてもよい。流体コネクタおよび基板の接続前に、流路は試料（例えば、血液）によって充填されてもよい。試料は、例えば、血液が指から流路の中へ引き込まれる（例えば、毛細管力によって）までユーザの指を刺すことによって、取得されてもよい。【選択図】図１
2015064373.tif 000002
【特許請求の範囲】
【請求項１】
第１の流体を含有する流体装置であって、該第１の流体が、流体密封シールを含む該流体装置の一の領域に格納される流体装置において、下記の工程：
前記流体密封シールをあける工程；
試料を含有する試料導入構成要素を、前記流体装置のポートに挿入する工程；
前記流体密封シールをあける工程の後に、前記試料を前記流体装置に導入する工程；
前記試料を前記流体装置の反応域に通す工程；
前記第１の流体を前記反応域に通す工程；および
前記反応域において前記試料の構成要素を判定する工程
を行うことを含む、方法。
【請求項２】
前記試料および前記第１の流体が前記反応域を通過する工程の間、前記試料導入構成要素が、前記流体装置に取り付けられたままである、請求項１に記載の方法。
【請求項３】
前記試料を含有する前記試料導入構成要素を前記流体装置の前記ポートに挿入する工程により、前記流体密封シールがあけられる、請求項１に記載の方法。
【請求項４】
前記流体密封シールが、前記流体装置のポートにおけるカバーである、請求項１に記載の方法。
【請求項５】
前記試料を含有する前記試料導入構成要素を前記流体装置の前記ポートに挿入する工程により、該ポートのカバーが穿孔され又は破られる、請求項４に記載の方法。
【請求項６】
前記流体装置に前記試料を導入する工程が、前記流体装置の出口に真空を適用し、それにより前記試料が前記試料導入構成要素から前記流体装置の中へと流れることを含む、請求項１に記載の方法。
【請求項７】
前記試料を前記反応域に通す工程の後に、前記第１の流体を前記反応域に通すことを含む、請求項１に記載の方法。
【請求項８】
前記流体密封シールが穿孔可能なシールである、請求項１に記載の方法。
【請求項９】
前記第１の流体が、少なくとも１つの１ｍｍ未満の断面寸法を有するマイクロ流体チャネルに格納される、請求項１に記載の方法。
【請求項１０】
前記第１の流体が洗浄流体である、請求項１に記載の方法。
【請求項１１】
前記試料導入構成要素が入口および出口を含み、前記方法が、該入口および該出口の両方を前記流体装置のポートに挿入することを含む、請求項１に記載の方法。
【請求項１２】
前記試料導入構成要素は、前記流体装置への前記ポートに挿入されるときに、前記第１の流体を含有する領域の下流であり、かつ前記反応域の上流である、請求項１に記載の方法。
【請求項１３】
流体装置であって、
反応域；
流体チャネルであって、ポート、該ポートを覆う流体密封シール、および該流体チャネルに格納される第１の流体を含む流体チャネル；ならびに
前記流体密封シールを穿孔する又は破るように、前記流体チャネルの前記ポートに挿入されるように、かつ前記流体装置の操作中に該流体装置に取り付けられたままであるように適合および配設される試料導入構成要素
を含む、流体装置。
【請求項１４】
前記試料導入構成要素が、前記流体チャネルへの前記ポートに挿入されるときに、前記流体チャネルの下流かつ前記反応域の上流に配置される、請求項１３に記載の流体装置。
【請求項１５】
前記試料導入構成要素が入口および出口を含み、該入口および該出口の両方は、前記流体装置のポートに接続するようになっている、請求項１３に記載の流体装置。
【請求項１６】
前記試料導入構成要素が１５マイクロリットル以下の内部体積を含む、請求項１３に記載の流体装置。
【請求項１７】
前記第１の流体が洗浄流体である、請求項１３に記載の流体装置。
【発明の詳細な説明】
【技術分野】
【０００１】
（関連出願）
本願は、米国仮特許出願第６０／９２７，６４０号（名称「Ｆｌｕｉｄ  Ｃｏｎｎｅｃｔｏｒｓ  ａｎｄ  Ｍｉｃｒｏｆｌｕｉｄｉｃ  Ｓｙｓｔｅｍｓ」、２００７年５月４日出願）の米国特許法第１１９条第（ｅ）項の優先権を主張し、この出願は本明細書に参考として援用される。
【０００２】
（発明の分野）
本発明は、概して、マイクロ流体システムおよびそれらの構成要素に関し、より具体的には、マイクロ流体システムによって分析を行うための流体コネクタ、方法、および装置に関する。
【背景技術】
【０００３】
流体の送達は、化学、微生物学、および生化学等の分野で重要な役割を果たす。これらの流体は、液体または気体を含んでもよく、化学または生物学的プロセスに試薬、溶剤、反応物、または洗浄剤を提供してもよい。マイクロ流体検定等の、種々のマイクロ流体装置および方法が、安価で高感度かつ正確な分析プラットフォームを提供することができる一方で、マイクロ流体装置の操作がしばしば、装置自体と外界との間で流体を交換する能力を必要とするために、プラットフォームへの流体送達は、費用および精巧さのレベルを追加し得る。場合によっては、装置の操作は、試料の導入、試薬の導入、オフチップ分析用の流体の抽出、１つのチップから次のチップへの流体の移動のうちの１つまたは組み合わせを含む。
【０００４】
マイクロ流体装置がスケール法則から利益を享受するために、ほとんどの用途は、卓上の対照物と比較して、検定を実行するために微量の流体しか必要としない。これらの微小システムの開発とともに、マイクロ流体業界は、マイクロ流体装置と実験室界との間のインターフェースを設計するのに多くの労力をつぎ込んできた。外界とチップとの接続と関連する主要な問題は、作業台で典型的に取り扱われる体積（例えば、マイクロリットルからリットル）に対する、チップ上で使用される体積（例えば、フェムトリットルからマイクロリットル）の間の不一致である。例えば、多くの外界とチップとのコネクタは、死空間、例えば、コネクタ自体の芯に位置する場合がある、使われていない体積を有する。例えば、マイクロチャネル（例えば、直径１０−２００μｍ）に接続する、小さい内径（例えば、少量の流体を注入するための２００μｍ）を有する管類の場合、管類の縁とマイクロチャネルの入口との間に間隙が残存し得る。その間隙によって画定される体積は、死空間と呼ばれ、場合によっては、分析される試料の全体積と同程度となり得る。実際、多くの装置の死空間はしばしば、チップによって分析される試料の体積よりも大きくなり得る。このことは、少ない試料／試薬の消費量に依存する用途に対して望ましくない効果である。
【発明の概要】
【発明が解決しようとする課題】
【０００５】
したがって、例えば、死空間を低減し、および／または、マイクロ流体システムと使用者との間の容易なインターフェースを可能にし得る、当該分野の進歩が有益となるであろう。
【課題を解決するための手段】
【０００６】
マイクロ流体システムで分析（例えば、免疫学的検定）を行うための流体コネクタ、方法、および装置を提供する。本発明の一側面では、一連の装置が提供される。
【０００７】
一実施形態では、装置は、少なくとも１つの入口および１つの出口を含む、第１のマイクロ流体チャネルと、少なくとも１つの入口および１つの出口を含む、第２のマイクロ流体チャネルとを備える、基板に形成されるマイクロ流体システムを含む。装置はまた、基板に接続することができる流体コネクタも含む。流体コネクタは、流路入口および流路出口を含む流路を備え、接続時に、流路入口は、第１のマイクロ流体チャネルの出口に接続して、流路と第１のマイクロ流体チャネルとの間の流体連通を可能にし、流路出口は、第２のマイクロ流体チャネルの入口に接続して、流路と第２のマイクロ流体チャネルとの間の流体連通を可能にする。流路は、基板への流体コネクタの接続前に、その中に配置される試薬（例えば、試料または一連の試薬等の１つ以上の流体）を含有してもよい。場合によっては、マイクロ流体システムは、システム中の流体の再循環なしで動作するように構成および配設される。
【０００８】
いくつかの実施形態では、第１および第２のマイクロ流体チャネルは、第１の使用前に相互に流体連通しておらず、第１の使用時に、第１および第２のマイクロ流体チャネルは、相互に流体連通させられる。
【０００９】
第１のマイクロ流体チャネルは、基板への流体コネクタの接続前に、その中に配置される第１の試薬を含有してもよい。第１のマイクロ流体チャネルはさらに、基板への流体コネクタの接続前に、その中に配置される第２の試薬を備えてもよい。第１および第２の試薬は、該第１および第２の試薬と混合しない流体によって分離される流体試薬であってもよい。第１および第２の試薬は、例えば、液体試薬であってもよく、該第１および第２の試薬と混合しない流体は、気体であってもよい。いくつかの実施形態では、第２のマイクロ流体チャネルは、その中に配置される試薬を含有する。第２のマイクロ流体チャネル中の試薬は、第１の使用前に乾燥させられてもよく、場合によっては、第２のマイクロ流体チャネルの表面に吸収される。装置はさらに、第１および第２のマイクロ流体チャネルを封入するよう基板に隣接して配置される、カバー（例えば、テープ）を備えてもよい。
【００１０】
いくつかの実施形態では、装置はさらに、第１および／または第２のマイクロ流体チャネルと流体連通している反応域を備え、反応域は、反応域中の化学および／または生物学的反応の検出を可能にする。場合によっては、反応域は、直列に接続される、少なくとも２つの蛇行チャネル領域を備える。少なくとも２つの蛇行チャネル領域は、化学および／または生物学的反応を受けることができる、化学および／または生物学的種を備えることができる。少なくとも２つの蛇行チャネル領域のそれぞれは、該領域中で化学および／または生物学的反応を実行する際に、該領域のそれぞれの中での単一の均質な信号の形成および／または検出を可能にしてもよい。
【００１１】
装置はさらに、第１の蛇行チャネル領域と整列した第１の検出器を備えてもよい。いくつかの実施形態では、装置は、第２の蛇行チャネル領域と整列した第２の検出器を備える。
【００１２】
マイクロ流体システムは、任意の好適な数のチャネル交差を含んでもよい。例えば、システムは、２つより少ないチャネル交差を含んでもよい。一実施形態では、マイクロ流体システムは、チャネル交差を全く含まない。
【００１３】
ある実施形態では、流路は、第１の体積を有し、マイクロ流体システムへの流体コネクタの接続前に、流路の中への第１の体積より少ない制御された体積の流体の導入を可能にすることができる、体積制御要素をさらに備えてもよい。流体コネクタは、接続時に流体コネクタと基板との間に非流体接続を形成するよう基板の特徴を補完する、少なくとも１つの非流体特徴を備えてもよい。流体コネクタは、流体コネクタと基板との間に不可逆的接続を形成するよう基板の特徴を補完する、少なくとも１つの特徴を備えてもよい。流体コネクタはさらに、生物学的実体から流体試料を受容することができる、試料採取要素を備えることができる。流体コネクタは、生物学的実体から流路への流体の移動を可能にしてもよい。
【００１４】
場合によっては、装置はさらに、出口に接続することができる真空源を備える。
【００１５】
一実施形態では、装置は、入口および出口を含む、第１のマイクロ流体チャネルと、入口および出口を含む、第２のマイクロ流体チャネルとを備える、基板に形成されるマイクロ流体システムを備える。装置はまた、流路入口および流路出口を含む流路を備える、基板に接続することができる流体コネクタも含み、接続時に、流路入口は、第１のマイクロ流体チャネルの出口に接続し、流路出口は、第２のマイクロ流体チャネルの入口に接続する。流体コネクタはさらに、接続時に、流体コネクタと基板との間に非流体接続を形成するよう基板の特徴を補完する、少なくとも１つの非流体特徴を備える。
【００１６】
場合によっては、マイクロ流体システムは、システム中の流体の再循環なしで動作するように構成および配設される。いくつかの実施形態では、第１および第２のマイクロ流体チャネルは、第１の使用前に相互に流体連通しておらず、第１の使用時に、第１および第２のマイクロ流体チャネルは、相互に流体連通させられる。
【００１７】
一実施形態では、装置は、基板に形成され、その中に配置される第１の試薬を含有する、第１のマイクロ流体チャネルと、基板に形成され、その中に配置される第２の試薬を含有する、第２のマイクロ流体チャネルとを備え、第１および第２のマイクロ流体チャネルは、第１の使用前に相互に流体連通しておらず、第１の使用時に、前記第１および第２のマイクロ流体チャネルは、相互に流体連通させられる。第１のマイクロ流体チャネルはさらに、第３の試薬を備えてもよく、第１および第３の試薬は、該試薬と混合しない流体によって分離される。第２の試薬は、第１の使用前に乾燥させられる。
【００１８】
一実施形態では、装置は、入口および出口を含む、第１のマイクロ流体チャネルと、入口および出口を含む、第２のマイクロ流体チャネルとを備える、基板に形成されるマイクロ流体システムを備える。装置はまた、基板に接続することができる流体コネクタも含み、流路入口および流路出口を含む、流路をさらに備えてもよく、接続時に、流路入口は、第１のマイクロ流体チャネルの出口に接続して、流路と第１のマイクロ流体チャネルとの間の流体連通を可能にし、流路出口は、第２のマイクロ流体チャネルの入口に接続して、流路と第２のマイクロ流体チャネルとの間の流体連通を可能にする。流路はさらに、マイクロ流体システムへの流体コネクタの接続前に、流路の中への第１の体積より少ない制御された体積の流体の導入を可能にすることができる、体積制御要素を備える。場合によっては、体積制御要素は、フリットである。
【００１９】
一実施形態では、装置は、入口および出口を含む、第１のマイクロ流体チャネルと、入口および出口を含む、第２のマイクロ流体チャネルとを備える、基板に形成されるマイクロ流体システムを備える。装置はまた、基板に接続することができ、流路入口および流路出口を含む流路を備えてもよい、流体コネクタも備え、接続時に、流路入口は、第１のマイクロ流体チャネルの出口に接続し、流路出口は、第２のマイクロ流体チャネルの入口に接続する。流体コネクタはさらに、生物学的構成要素を穿刺することができる、試料採取要素を備える。生物学的構成要素は、ヒト皮膚であってもよい。試料採取要素は、生物学的構成要素から流体試料を受容するために使用されてもよい。流体コネクタは、生物学的実体から流路への流体の移動を可能にしてもよい。
【００２０】
本発明の別の側面では、一連の方法が提供される。一実施形態では、試薬を格納する方法は、基板に形成される第１のマイクロ流体チャネルの中に第１の試薬を配置するステップと、基板に形成される第２のマイクロ流体チャネルの中に第２の試薬を配置するステップとを含み、第１および第２のマイクロ流体チャネルは、配置するステップの間に相互に流体連通していない。方法はまた、第１のマイクロ流体チャネルの中に第１の試薬を格納するよう、第１のマイクロ流体チャネルの入口および／または出口を密閉するステップと、第２のマイクロ流体チャネルの中に第２の試薬を格納するよう、第２のマイクロ流体チャネルの入口および／または出口を密閉するステップとを含む。
【００２１】
いくつかの実施形態では、密閉する前に、第１のマイクロ流体チャネルは、その中に配置される第３の試薬を含有し、第１および第３の試薬は、該試薬と混合しない流体によって分離される。第２の試薬は、第２のマイクロ流体チャネルの入口を密閉する前に乾燥させられてもよい。
【００２２】
一実施形態では、方法は、基板に形成され、第１の使用前にその中に配置される第１の試薬を含有する、第１のマイクロ流体チャネルを提供するステップと、基板に形成され、第１の使用前にその中に配置される第２の試薬を含有する、第２のマイクロ流体チャネルを提供するステップとを含む。第１および第２のマイクロ流体チャネルは、第１の使用前に相互に流体連通しておらず、第１の使用時に、第１および第２のマイクロ流体チャネルは、相互に流体連通させられる。方法はまた、第１および第２のマイクロ流体チャネルを相互に流体連通させるステップも含む。
【００２３】
いくつかの実施形態では、流体連通させるステップは、第１と第２のマイクロ流体チャネルとの間の流路を接続するステップを含む。流路は、その中に配置される試料を含有してもよい。試料は、例えば、流体試料であってもよい。
【００２４】
本発明の他の利点および新規の特徴は、添付図と併せて考慮すると、本発明の種々の非限定的な実施形態の以下の詳細な説明から明白となるであろう。本明細書および参照することにより組み込まれる文書が、相反する、および／または一貫性のない開示を含む場合、本明細書が規制するものとする。参照することにより組み込まれる２つ以上の文書が、互いに対して相反する、および／または一貫性のない開示を含む場合は、発効日が遅い文書が規制するものとする。
【図面の簡単な説明】
【００２５】
概略的であり、一定の縮尺で描かれることを目的としない、添付図を参照して、本発明の非限定的な実施形態を一例として説明する。図中、図示された各同一またはほぼ同一の構成要素は、典型的には、単一の数字によって表される。明確にするために、当業者が本発明を理解することを可能にするために図示が必要ではない場合は、全ての図で全ての構成要素が標識化されるわけではなく、示される本発明の各実施形態の全ての構成要素もまた、標識化されるわけでもない。
【図１】図１Ａおよび１Ｂは、本発明の実施形態による、流体コネクタを含むマイクロ流体装置の概略図である。
【図２】図２は、本発明の実施形態による、格納した試薬を含有してもよく、化学および／または生物学的反応を行うために使用することができる、マイクロ流体システムのブロック図である。
【図３】図３Ａ−３Ｄは、本発明の実施形態による、流体コネクタを含み、化学および／または生物学的反応を行うために使用される格納した試薬を含有する、マイクロ流体システムの概略図である。
【図４】図４Ａ−４Ｄは、本発明の実施形態による、流体コネクタを含み、化学および／または生物学的反応を行うために使用される格納した試薬を含有する、マイクロ流体システムの概略図である。
【図５】図５Ａ−５Ｆは、本発明の実施形態による、化学および／または生物学的反応を行うために使用される流体コネクタを含む、マイクロ流体装置の写真である。
【図６】図６は、本発明の実施形態による、マイクロ流体システムのブロック図である。
【図７】図７Ａ−７Ｄは、本発明の実施形態による、化学および／または生物学的反応を行うために開放端流体装置とともに使用することができる、マイクロ流体装置の概略図である。
【図８】図８Ａ−８Ｄは、本発明の実施形態による、開放端流体装置および流体コネクタの概略図である。
【図９】図９Ａ−９Ｆは、本発明の実施形態による、一体型流体コネクタの概略図である。
【図１０Ａ】図１０Ａおよび１０Ｂは、本発明の実施形態による、別の流体コネクタの概略図である。
【図１０Ｂ】図１０Ａおよび１０Ｂは、本発明の実施形態による、別の流体コネクタの概略図である。
【図１１Ａ】図１１Ａおよび１１Ｂは、本発明の実施形態による、直角に、またはマイクロ流体システムのチャネルと同じ平面上に接続することができる、流体コネクタの概略図である。
【図１１Ｂ】図１１Ａおよび１１Ｂは、本発明の実施形態による、直角に、またはマイクロ流体システムのチャネルと同じ平面上に接続することができる、流体コネクタの概略図である。
【図１２Ａ】図１２Ａ−１２Ｅは、本発明の実施形態による、流体コネクタを基板に取り付けるために使用することができるクリップを含む、流体コネクタの概略図である。
【図１２Ｂ】図１２Ａ−１２Ｅは、本発明の実施形態による、流体コネクタを基板に取り付けるために使用することができるクリップを含む、流体コネクタの概略図である。
【図１２Ｃ】図１２Ａ−１２Ｅは、本発明の実施形態による、流体コネクタを基板に取り付けるために使用することができるクリップを含む、流体コネクタの概略図である。
【図１２Ｄ】図１２Ａ−１２Ｅは、本発明の実施形態による、流体コネクタを基板に取り付けるために使用することができるクリップを含む、流体コネクタの概略図である。
【図１２Ｅ】図１２Ａ−１２Ｅは、本発明の実施形態による、流体コネクタを基板に取り付けるために使用することができるクリップを含む、流体コネクタの概略図である。
【図１３】図１３は、本発明の実施形態による、例えば、コネクタと基板との間の取付けを固定するように流体コネクタおよび／または基板の上に含むことができる、特徴の概略図である。
【図１４】図１４Ａおよび１４Ｂは、本発明の実施形態による、整列要素と、流体コネクタと、基板とを含む、装置の斜視図を示す、概略図である。
【図１５】図１５Ａおよび１５Ｂは、本発明の実施形態による、単一部品として形成される整列要素および基板を含む、装置の断面図を示す、概略図である。
【図１６】図１６Ａおよび１６Ｂは、本発明の実施形態による、別個の部品として形成される整列要素および基板を含む、装置の断面図を示す、概略図である。
【図１７】図１７Ａ−１７Ｃは、本発明の実施形態による、蛇行領域の形の検出帯を含む、装置の概略図である。
【図１８】図１８Ａおよび１８Ｂは、本発明の実施形態による、装置の検出帯において構成要素を検出するための光学システムの概略図である。
【図１９】図１９は、本発明の実施形態による、装置の異なる検出帯において構成要素を検出するための光学システムの概略図である。
【図２０】図２０は、本発明の実施形態による、光学ライトと、装置の各検出帯と整列した検出器とを含む、光学システムの概略図である。
【発明を実施するための形態】
【００２６】
マイクロ流体システムで分析（例えば、免疫学的検定）を行うための流体コネクタ、方法、および装置を提供する。いくつかの実施形態では、２つの独立チャネルの間の流体連通を可能にするように、基板に形成される２つの独立チャネルを接続するために、流路を有する流体コネクタが使用される。独立チャネルの一方または両方は、分析を行うために使用することができる試薬（例えば、抗体溶液、洗浄緩衝剤、および増幅試薬）によって事前充填されてもよい。これらの試薬は、使用前に長期間の時間量（例えば、１年）にわたって基板のチャネルに格納されてもよい。流体コネクタおよび基板の接続前に、流路は、試料（例えば、血液）で充填されてもよい。試料は、例えば、血液が指から流路の中へ引き込まれる（例えば、毛細管力によって）までユーザの指を刺すことによって、取得されてもよい。流体コネクタおよび基板のチャネルの接続時に、試料は、基板の第１のチャネル内の反応域を通過することができる。このプロセスは、試料の構成要素が反応域中に配置される構成要素と相互作用することを可能にできる。その後、第２のチャネルからの試薬は、流路を介して反応域へ流れることができ、反応域中の構成要素が処理される（例えば、検出可能な信号を発出するように増幅される）ことを可能にする。次いで、種々の検出方法を使用して、反応域中の構成要素を判定することができる。
【００２７】
本明細書で説明されるマイクロ流体システムは、（ａ）試料の無駄が少ししかないか、または全くない、少量の試料の使用、（ｂ）装置に格納される化学および／または生物学的試薬の長期安定性、（ｃ）格納した試薬の間および／または試料と試薬との間の交差汚染の低減、（ｄ）試料計測、（ｅ）訓練を受けていないユーザにとって、装置に試料を導入するための使用の容易性、（ｆ）試薬の効率的な混合、および（ｇ）検定の信頼性等の、１つ以上の利点により、化学および／または生物学的反応、特に、免疫学的検定を行うために有用であってもよい。これらおよび他の利点を、説明および図に関連して説明する。
【００２８】
本明細書で説明される部品、システム、および方法は、それぞれ、その全体で参照することにより本明細書に組み込まれる、２００４年１２月２０日出願の「Ａｓｓａｙ  Ｄｅｖｉｃｅ  ａｎｄ  Ｍｅｔｈｏｄ」と題された国際特許公報第ＷＯ２００５／０６６６１３号（国際特許出願第ＰＣＴ／ＵＳ２００４／０４３５８５号）、２００５年１月２６日出願の「Ｆｌｕｉｄ  Ｄｅｌｉｖｅｒｙ  Ｓｙｓｔｅｍ  ａｎｄ  Ｍｅｔｈｏｄ」と題された国際特許公報第ＷＯ２００５／０７２８５８号（国際特許出願第ＰＣＴ／ＵＳ２００５／００３５１４号）、および２００６年４月１９日出願の「Ｆｌｕｉｄｉｃ  Ｓｔｒｕｃｔｕｒｅｓ  Ｉｎｃｌｕｄｉｎｇ  Ｍｅａｎｄｅｒｉｎｇ  ａｎｄ  Ｗｉｄｅ  Ｃｈａｎｎｅｌｓ」と題された国際特許公報第ＷＯ２００６／１１３７２７号（国際特許出願第ＰＣＴ／ＵＳ０６／１４５８３号）で説明されているものと組み合わせられてもよい。
【００２９】
図１は、本発明の一実施形態による、マイクロ流体装置１０を示す。この例示的実施形態に示されるように、装置１０は、マイクロ流体システム２２を含む基板２０、および基板の２つの独立マイクロ流体チャネルを接続するために使用することができる流体コネクタ４０といった、２つの取付け可能なユニットを備える。基板２０のマイクロ流体システム２２は、入口２６および出口２８を有するチャネル２４、ならびに、入口３６および出口３８を有するチャネル３４を含む。図１Ａの例示的実施形態に示されるように、チャネル２４および３４は接続されない、つまり、チャネルの間には流体連通がない。以下でさらに詳細に説明されるように、各チャネルの中に異なる試薬を格納するため等のように、ある場合においては、接続されていないチャネルが有利であってもよい。例えば、チャネル２４は、乾燥試薬を格納するために使用されてもよく、チャネル３４は、湿潤試薬を格納するために使用されてもよい。チャネルを相互から物理的に分離させると、例えば、湿潤形態で格納される試薬によって発出される場合がある湿気から、乾燥形態で格納される試薬を保護することによって、各チャネルのそれぞれに格納される試薬の長期安定性を向上することができる。
【００３０】
示されるように、流体コネクタ４０は、入口４６および出口４４を有する流路４２を含む。流体コネクタ４０は、例えば、入口および出口を介して、基板２０に接続することができる。接続時に、流路入口４６は、マイクロ流体チャネル３４の出口３８に接続し、流路出口４４は、マイクロ流体チャネル２４の入口２６に接続する。この接続は、流路４２を介したチャネル２４と３４との間の流体連通を引き起こす。部品の入口および出口と基板との間の接続は、流体密封シールを形成して接続点における漏出を防止してもよい。したがって、図１Ｂに図示されるように、流体が矢印５６の方向に流れる場合、チャネル３４中の流体の少なくとも一部分は、流路４２に流れ込み、次いで、チャネル２４に流れ込んで、任意的に、出口２８において退出することができる。
【００３１】
図１Ａは、マイクロ流体システム２２を形成する２つの別個のチャネルのみを示すが、他の実施形態では、マイクロ流体システムは、３つ以上の別個のチャネルを含んでもよく、基板の３つ以上のそのようなチャネルを接続するために、流体コネクタを使用することができる。そのような実施形態では、流体コネクタは、基板のいくつかの異なるマイクロ流体チャネルに接続することができる、複数の流路（相互接続されるか、または独立していてもよい）および／または複数の入口および／または出口を有してもよい。加えて、図１は、同じ基板上の２つの別個のチャネル２４および３４を示すが、部品４０は、異なる基板上のチャネルを接続するために使用することができる。
【００３２】
図１Ｂに示されるように、流体コネクタを使用する基板の２つの独立チャネルの接続によって形成される、マイクロ流体システムは、「開ループ」システムの一例である。本明細書で使用されるような、「開ループ」システムは、マイクロ流体システム内を流体の再循環無しで動作するように構成および配設される。換言すれば、マイクロ流体システム内の第１の位置において出発する流体部分は、その位置を離れた後に第１の位置を再び通らない。その代わり、流体部分は、出口において装置から退出してもよい（例えば、流体部分がマイクロ流体システムの中で保有されるか、または使い果たされない限り）。例えば、図１Ｂに図示されるように、最初は位置「Ａ」にあり、矢印５６の方向に流れる流体部分は、流路４２に流れ込み、次いで、チャネル２４に流れ込み、任意的に、出口２８において退出してもよい。しかしながら、マイクロ流体システムの設計は、流体部分がチャネル３４に再進入すること、および位置「Ａ」を再び通過することを可能にしない。同様に、最初は位置「Ｂ」にあり、矢印５６の方向に流れる流体部分は、出口２８から退出してもよい。この流体部分は、該位置「Ｂ」を再び通過することを可能にするように、チャネル３４または２４の中へ進入することができない。場合によっては、マイクロ流体システムは、システム内の流体の再循環を可能にしない（例えば、目的の使用中に）。
【００３３】
他の実施形態では、「閉ループ」システムを形成するために流体コネクタを使用することができる。本明細書で使用されるような、「閉ループ」システムは、マイクロ流体システム内の第１の位置において出発する流体部分が、その位置を離れた後に第１の位置を再び通ることができるように、マイクロ流体システム内の流体の再循環を可能にしてもよい。例えば、図１Ｂの基板２０の入口３６および出口２８を接続するために、第２の流体コネクタ（例えば、流体コネクタ４０と同様のもの）が使用された場合、閉ループシステムが形成される。代替として、チャネル２４と３４とが単一の連続チャネルを形成するように入口３６と出口２８とが接合されるように、マイクロ流体システム２２が設計された場合、入口３８と出口２６との流体コネクタ４０の接続は、閉ループシステムを形成する。
【００３４】
また、本明細書で説明される装置は、２つ以上の流体コネクタを含んでもよいことも理解されたい。複数の流体コネクタは、１つ以上の基板の複数のチャネル（またはチャネルの各部分）を接続するために有用である。
【００３５】
ある実施形態では、基板の単一マイクロ流体チャネルの２つ（以上）の部分を接続するために、流体コネクタが使用されてもよい。基板の少なくとも第１および第２の別個の（独立した）チャネルが本明細書で説明される場合、同様の実施形態を接続するために流体コネクタが使用されてもよいが、第１のチャネルの少なくとも一部分は、流体コネクタを使用する接続の前に、（例えば、単一の相互接続チャネルを形成するように）第２のチャネルの少なくとも一部分と流体連通していることに理解されたい。
【００３６】
任意的に、以下でさらに詳細に説明されるように、流体コネクタ４０は、流路の接続時に、流体コネクタと基板との間に非流体接続を形成するように基板の特徴を補完する、少なくとも１つの非流体特徴５２を含んでもよい。この非流体接続は、流体コネクタと基板との間の接続をさせるのに役立つことができる。
【００３７】
いくつかの実施形態では、基板２０のマイクロ流体システムに１つ以上の流体（例えば、血液、血清、血漿、涙液、唾液、尿、精液、痰等の試料、または緩衝剤等の任意の他の関心流体）を導入するために、流体コネクタ４０を使用することができる。このことは、試料（または他の流体）が基板の少なくとも１つのチャネルを迂回することを可能にできる。例えば、試料が最初に流路４２に導入され、次いで、流体コネクタ４０が図１Ｂに示されるように基板２０に接続される場合、矢印５６の方向の流体流動は、流路４２に含有される試料が、チャネル３４ではなくチャネル２４に流れ込むことを可能にする。そのような設計は、流路４２を介して送達される試料が汚染されるか、あるいはチャネル３４内の１つ以上の構成要素に悪影響を及ぼす場合に有用であってもよい。しかしながら、流体コネクタは、装置に流体を導入するために使用される必要はないが、いくつかの実施形態では、１つまたは複数の装置の少なくとも２つのチャネルを単純に流体的に接続するために使用できることを理解されたい。
【００３８】
上記のように、流体は、入口４６（または、流体導入の目的で入口の役割を果たしてもよい出口４４）を介して流路４２に導入されてもよい。流路４２の全体または一部分は、流体で充填されてもよい。任意的に、流体コネクタ４０は、入口５０を流路４２に接続する二次流路４８を含んでもよい。この設計は、例えば、流体コネクタが基板に接続される（例えば、図１Ｂに示されるように）前または後に、入口５０および二次流路４８を介した流体流路４２への流体の導入を可能にすることができる。代替として、流体コネクタと基板との接続の前に、入口５０を介して流路４２に流体を導入することができる。いくつかの実施形態では、入口５０および二次流路４８を介して流路４２に流体を導入した後に、入口５０および二次流路４８を封鎖することができる（例えば、プランジャにより、または任意の他の好適な方法を使用して）。この封鎖は、装置の操作中にマイクロ流体システムのチャネル交差の数を減少させることができ、下記の理由で有利となり得る。
【００３９】
いくつかの実施形態では、以下で説明されるマイクロ流体システム（装置基板および流体コネクタを含む）は、装置の第１の使用前および／または装置への試料の導入前に、格納した試薬を含有する。格納した試薬の使用は、装置を操作するためにユーザが行わなければならないステップの数を最小化するため、ユーザによるマイクロ流体システムの使用を単純化することができる。この単純性は、本明細書で説明されるマイクロ流体システムが、治療点の環境のユーザ等の訓練を受けていないユーザによって使用されることを可能にすることができる。マイクロ流体装置中の格納した試薬は、免疫学的検定を行うように設計された装置に特に有用である。
【００４０】
図２は、格納した試薬を含有してもよく、化学および／または生物学的反応（例えば、免疫学的検定）を行うために使用することができる、マイクロ流体システムのブロック図６０である。マイクロ流体装置は、例えば、１つ以上のチャネルおよび／または貯蔵部を含んでもよい、試薬格納域６４と流体連通している試薬入口６２を含む。装置はまた、試薬格納域６４を反応域６８に接続することができる流体コネクタ等の、試料搭載域６６を含んでもよい。試料の構成要素を検出するための１つ以上の領域（例えば、検出区域）を含んでもよい、反応域は、廃棄物域７０と流体連通し、出口７２に接続されてもよい。いくつかの実施形態では、反応域６８は、免疫学的検定域である。
【００４１】
図２に示される例示的実施形態では、セクション８０は、試薬入口と、試薬格納域とを備え、セクション８２は、反応域と、廃棄物域と、出口とを備える。試薬は、セクション８０および８２の一方または両方に格納されてもよい。例えば、１つの特定の実施形態では、試薬は、セクション８０の試薬格納域６４に流体（例えば、液体または気体）の形で格納され、乾燥被膜の形の試薬は、セクション８２の反応域６８に格納される。
【００４２】
いくつかの実施形態では、セクション８０および８２は、装置への試料の導入前に、相互に流体連通している（例えば、試料搭載域６６を介して）。例えば、試料搭載域６６が図１の流体コネクタ４０を含む場合、セクション８０と８２との間の流体連通を引き起こすように、流体コネクタを基板に接続することができる。その後、試料は、入口５０および二次流路４８を介して装置に導入されてもよい。
【００４３】
他の実施形態では、セクション８０および８２は、装置への試料の導入前に、相互に流体連通していない。例えば、試料搭載域６６が、入口５０または二次流路４８を持たない図１の流体コネクタ４０を含む場合、流体コネクタは、試料で充填され、次いで、セクション８０と８２との間の流体連通を引き起こすように基板に接続されてもよい。この例では、流体連通がセクション８０と８２との間で形成される時（または直後）に、試料が基板のチャネルに導入される。そのような場合において、セクション８０と８２とは、装置の第１の使用前に相互に流体連通しておらず、第１の使用時に、セクションは相互に流体連通させられる。
【００４４】
本明細書で説明されるように、化学および／または生物学的反応で使用されてもよい、１つ以上の試薬は、第１の使用前および／または装置への試料の導入前に、装置に（例えば、装置基板および／または流体コネクタに）格納および／または配置されてもよい。そのような試薬は、流体および／または乾燥形態で格納および／または配置されてもよく、格納および／または配置の方法は、特定の用途に依存してもよい。試薬は、例えば、液体、気体、ゲル、複数の粒子、または被膜として格納および／または配置することができる。試薬は、任意的に、試薬格納域の一部であってもよい、チャネルの中、貯蔵部の中、表面上、および膜の中あるいは上を含むが、それらに限定されない、装置の任意の好適な部分の中に配置されてもよい。試薬は、任意の好適な方式でマイクロ流体システム（またはシステムの構成要素）と関連してもよい。例えば、試薬は、マイクロ流体システム内で、表面上に架橋結合（例えば、共有結合的またはイオン的に）、吸収、または吸着（物理吸着）されてもよい。１つの特定の実施形態では、チャネルの全体または一部分（流体コネクタの流路または装置基板のチャネル等）は、抗凝固剤（例えば、ヘパリン）で被覆される。場合によっては、第１の使用前および／または装置への試料の導入前に、液体が装置のチャネルまたは貯蔵部内に含有される。
【００４５】
いくつかの実施形態では、乾燥試薬は、マイクロ流体装置の１つのセクションに格納され、湿潤試薬は、マイクロ流体装置の第２のセクションに格納される。代替として、装置の２つの別個のセクションは、両方とも、乾燥試薬および／または湿潤試薬を含有してもよい。第１と第２のセクションとは、場合によっては、第１の使用前および／または装置への試料の導入前に、相互に流体連通していてもよい。他の場合においては、セクションは、第１の使用前および／または装置への試料の導入前に、相互に流体連通していない。第１の使用中、格納した試薬は、装置の１つのセクションから別のセクションへ通ってもよい。例えば、流体の形で格納された試薬は、第１と第２のセクションとが流路（例えば、流体コネクタ）を介して接続された後に、装置の第１のセクションから第２のセクションへ通ることができる。他の場合においては、乾燥物質として格納された試薬は、流体で水和され、次いで、セクションの接続時に、第１のセクションから第２のセクションへ通る。さらに他の場合においては、乾燥物質として格納された試薬は、流体で水和されるが、セクションの接続時に、１つのセクションから別のセクションへ通らない。試薬を格納する方法を、以下でさらに詳細に説明する。
【００４６】
ブロック図６０によって表されるマイクロ流体システムは、２つのセクション８０および８２のみを含むが、マイクロ流体装置は、他の実施形態では付加的なセクションを含んでもよいことを理解されたい。加えて、試薬格納域６４、試料搭載域６６、および反応域６８の間の流体流動の順序は、いくつかの装置では異なってもよい。例えば、流体流動は、試薬格納域から反応域へ方向付けられてもよく、その後、試料搭載域から反応域への流体流動が続く。他の配設も可能である。
【００４７】
図３Ａ−３Ｄは、流体コネクタを含み、化学および／または生物学的反応で使用することができる、格納した試薬を含有する、マイクロ流体装置の一例を示す。装置１００は、チャネル１１２の形であり、入口１１６および出口１１８を含む、試薬格納域１１０を含む第１のセクション１０６を含む。特定の用途に応じて、異なる試薬がチャネル１１２に格納されてもよい。例えば、免疫学的検定を行うために装置が使用されるならば、チャネルは、その中で、順次、洗浄流体１２０、抗体流体１２２、洗浄流体１２４、標識抗体流体１２６、および洗浄流体１２８を格納していてもよい。必要に応じて、付加的な試薬および洗浄流体もまた、存在してもよい。これらの試薬は、非混合性流体栓１３０（気体（例えば、空気、窒素、またはアルゴン）または油（例えば、フッ化炭素または炭化水素）等の分離流体）によって相互から分離される、栓（例えば、液体栓）の形であってもよい。図３Ａでは、入口１１６および出口１１８は、格納した試薬の蒸発および汚染を防止するよう密閉される。
【００４８】
装置１００はまた、入口１５４、出口１５６、チャネル１５８、反応域１６０、および廃棄物域１７４を有する、第２のセクション１５０も含む。反応域は、いくつかの検出区域１６２、１６４、１６６、および１６８を含んでもよい。検出区域は、任意の好適な構成および／または配設を有してもよい。一実施形態では、検出区域のそれぞれは、以下で、かつその全体で参照することにより本明細書に組み込まれる、２００６年４月１９日出願の「Ｆｌｕｉｄｉｃ  Ｓｔｒｕｃｔｕｒｅｓ  Ｉｎｃｌｕｄｉｎｇ  Ｍｅａｎｄｅｒｉｎｇ  ａｎｄ  Ｗｉｄｅ  Ｃｈａｎｎｅｌｓ」と題された国際特許公報第ＷＯ２００６／１１３７２７号（国際特許出願第ＰＣＴ／ＵＳ０６／１４５８３号）でさらに詳細に説明されるような、蛇行（蛇行性）チャネルの形である。検出区域は、例えば、試料の異なる構成要素を検出するように配設されてもよく、または、陽性および／または陰性対照として使用されてもよい。場合によっては、検出区域のうちの１つ以上は、その中に格納された試薬を含有する。１つの特定の実施形態では、免疫学的検定を行うために使用される装置は、一連の格納した乾燥試薬を含む。試薬は、蛇行チャネルの表面上に物理吸着されてもよい。例えば、検出区域１６２は、陰性対照（例えば、タンパク質の接着を防止することが知られている洗剤）を含んでもよく、検出区域１６４および１６６は、試料の構成要素に結合してもよい、異なる濃度の抗体（または、試料の異なる構成要素に結合することができる、２つの異なる抗体）を含んでもよく、検出区域１６８は、陽性対照（例えば、試料から判定されることが予期される同じ抗原）を含んでもよい。陽性対照は、定性的対照として使用されてもよく、例えば、信号がある閾値に到達した場合に、試験を有効と見なすことができる。加えて、および／または代替として、陽性対照は、定量化手段として使用することができ、例えば、信号の強度は、オンチップ較正プロセスの一部となり得る。
【００４９】
図３Ａに図示される実施形態に示されるように、セクション１５０内の領域のそれぞれは、相互に流体連通しているが、いずれもセクション１０６の構成要素のうちのいずれかとは流体連通していない。ある実施形態では、以下でさらに詳細に説明されるように、この構成が各セクション中の試薬のそれぞれの長期格納を推進することができるため、格納した乾燥試薬を含有するセクション１５０および格納した湿潤試薬を含有するセクション１０６は、第１の使用前に相互に流体連通しないように構成される。
【００５０】
図３Ｂに示されるように、セクション１０６と１５０とは、流体コネクタ１７８を使用して接続することができ、セクション１０６と１５０とを相互に流体連通させる。出口１１８および入口１５４が図３Ａのシール（例えば、生体適合性テープ）で覆われる場合、この接続は、出口および入口を覆う密閉を穿孔させる、破れさせる、または除去させることができる。
【００５１】
流体コネクタ１７８は、試料搭載のために使用されてもよく、その中に含有される試料１８０を含んでもよい。本明細書に説明されるように、試料１８０は、好適な方法によって流体コネクタ１７８に導入されてもよく、場合によっては、セクション１０６と１５０との間で流体連通する前に、流体コネクタに導入される。
【００５２】
図３Ｃに図示される実施形態に示されるように、試薬格納域１１０中の流体および試料１８０は、セクション１０６からセクション１５０に向かって流れてもよい。流体流動は、例えば、入口１１６に陽圧を適用することによって（例えば、プランジャ、重力、またはポンプを使用して）、または出口１５６に真空を適用することによって起こってもよい。そのような実施形態では、陽圧および／または真空源は、それぞれ、１つ以上の入口および／または出口に接続されてもよい。
【００５３】
試料１８０は、最初に、反応域１６０（図３Ｃ）に流れ込み、次いで、廃棄物域１７４（図３Ｄ）に流れ込む。検出区域を通る試料の通過は、試料の１つ以上の構成要素（例えば、抗原）と反応域中の１つ以上の構成要素（例えば、抗体）との間の相互作用（例えば、結合）を可能にする。本明細書で説明されるように、反応域の構成要素は、第１の使用前に、反応域に格納される乾燥試薬の形であってもよい。この相互作用は、結合対錯体等の生成物を形成してもよい。場合によっては、この相互作用が単独で、マイクロ流体システムに連結される検出器によって判定される（例えば、測定される）信号を引き起こす。他の場合においては、正確な信号が検出器によって判定されるために、生成物は、試薬格納域１１０からの１つ以上の試薬によって処置される。例えば、試薬格納域１１０に格納される試薬は、試料の抗原と相互作用する標識抗体であってもよい。この相互作用は、生成物が標識化されること、または生成物からの信号が増幅されることを可能にすることができる。
【００５４】
免疫学的検定を伴う、１つの特定の実施形態では、格納域中の格納した試薬は、酵素増幅溶液および沈殿染料（例えば、ジアミノベンジジン、ＤＡＢ）を含む。試薬格納域１１０からの１つ以上の試薬は、検出区域のそれぞれを通過させることができる。これらの試薬は、例えば、信号を増幅するように、および／または、図３Ｄの検出区域１６４および１６８で描写されるように錯体を標識化するように、さらに結合対錯体等と相互作用してもよい。
【００５５】
試薬格納域中の試薬のそれぞれの間で非混合性流体（分離流体）を維持することによって、格納した流体を試薬格納域から順に送達する一方で、格納した流体のうちのいずれかとの接触を回避することができる。格納した試薬を分離する非混合性流体は、反応域の状態を改変せずに、反応域に適用されてもよい。例えば、抗体・抗原結合が反応域の検出区域のうちの１つで発生した場合、発生した結合に対する最小の影響を伴って、または全く伴わずに、空気を部位に適用することができる。
【００５６】
本明細書で説明されるように、マイクロ流体システムに試薬を格納することにより、後続プロセス（例えば、反応域中の信号を増幅する）用の特定の順番で、試薬が分注されることを可能にすることができる。試薬への暴露の特定の時間が所望される場合では、マイクロ流体システム中の各流体の量は、試薬が下流反応域に暴露される時間量に比例してもよい。例えば、第１の試薬に対する所望の暴露時間が第２の試薬に対する所望の暴露時間の２倍であれば、チャネル中の第１の試薬の体積は、チャネル中の第２の試薬の体積の２倍であってもよい。チャネルから反応域に試薬を流す際に、一定の圧力差が適用された場合、および流体の速度が同じまたは同様である場合、反応域等の特定の点における各流体の暴露時間は、流体の相対体積に比例してもよい。チャネル形状、圧力、または粘度等の因子もまた、チャネルからの特定の流体の流速を変更するように改変することができる。
【００５７】
加えて、順に、試薬、特に増幅試薬を格納するという、この策略は、広範な化学性質に適応することができる。例えば、検出器による信号の検出を可能にするために、光信号（例えば、吸光度、蛍光性、グローまたは閃光化学発光、電気化学発光）、電気信号（例えば、無電解プロセスによって生成される金属構造物の抵抗または伝導度）、または磁気信号（例えば、磁気ビーズ）を発出する種々の増幅化学性質を使用することができる。
【００５８】
試薬を分離するための気体（例えば、空気）栓の使用は、全体的なマイクロ流体装置が多くの気泡に適合することを要求する。気泡は、種々の方法を使用してマイクロ流体装置内で安定化および／または制御されてもよいが、本明細書で説明される、ある実施形態で使用される１つの特定の方法は、システムにおけるチャネル交差の数を限定するステップを含む。したがって、本明細書で説明されるマイクロ流体装置は、わずか（例えば、５、４、３、または２未満）、１つ、またはゼロのチャネル交差を有するように設計されてもよい。本明細書で使用されるような、チャネル交差は、単一点で交差する（例えば、「Ｙ」字を形成する）少なくとも３つのチャネル（または１つ以上のチャネルの各部分）を含む。例えば、図３の装置１００は、チャネル交差を全く含まず、図４の装置２００は、１つのチャネル交差２１９しか持たない。チャネル交差を全く含まない装置は、例えば、試薬（例えば、格納した試薬）の混合を必要としない反応を行うために有用であってもよい。
【００５９】
図４Ａ−４Ｄは、流体コネクタを含み、化学および／または生物学的反応で使用することができる格納した試薬を含有する、マイクロ流体装置の別の例を示す。これらの例示的実施形態に示されるように、装置２００は、試薬格納域２０４を備える第１のセクション２０２を含む。試薬格納域は、上部分２０５および下部分２０６といった、２つの部分を有する。上部分は、それに接続される入口２１６を有するチャネル２０８と、それに接続される入口２１７を有するチャネル２０９とを含む。チャネル２０８と２０９とは、上部分で分離され、下部分のチャネル２１２に接続される交差２１９で交わる。チャネル２１２は、出口２１８に接続される。それぞれ異なるチャネルに接続される、２つの入口２１６および２１７を有する、装置２００は、例えば、２つの試薬が装置上で別々に格納される必要があるが、使用中または使用直前に混合を必要とする、反応を行うために有用であってもよい。
【００６０】
１つの特定の実施形態では、装置２００は、信号増幅の銀強化を使用する、ヒトＩｇＧの免疫学的検定を行うために使用される。銀塩の溶液がチャネル２０８に格納され、ヒドロキノンの溶液がチャネル２０９に格納される。混合時に信号増幅を発出することができる、これらの２つの構成要素は、別個のチャネル中に位置するため、流動が両方の溶液を交差２１９に向かって駆動するまで相互に混合することができない。
【００６１】
相互に混合される必要がない試薬は、試薬格納域の下部分２０６に格納することができる。これらの試薬は、必要に応じて、例えば、洗浄流体、抗体流体、および他の流体を含むことができる。試薬は、非混合性流体栓２３０（気体（例えば、空気）または油等の分離流体）によって相互に分離される栓の形であってもよい。図４Ａでは、入口２１６および２１７、ならびに出口２１８は、格納した試薬の蒸発および汚染を防止するよう密閉される。
【００６２】
装置２００はまた、入口２５４、出口２５６、チャネル２５８、反応域２６０、および廃棄物域２７４を有する、第２のセクション２５０も含む。反応域はまた、検出区域２６２、２６４、２６６、および２６８を含んでもよい。任意的に、１つ以上の検出区域は、本明細書で説明されるように、蛇行チャネル領域の形であってもよい。検出区域は、例えば、試料の異なる構成要素を検出するように配設されるか、または陽性および／または陰性対照として使用されてもよい。場合によっては、検出区域のうちの１つ以上は、その中に格納された試薬を含有する。一実施形態では、免疫学的検定を行うために使用される装置は、一連の格納した乾燥試薬を含む。試薬は、検出区域の蛇行チャネルの表面上に物理吸着されてもよい。
【００６３】
装置２００が、ヒトＩｇＧの免疫学的検定を行うために使用され、信号増幅の銀強化を使用する、１つの特定の実施形態では、反応域の蛇行チャネルの１つ以上の表面は、ＢＳＡ（ウシ血清アルブミン）またはＴｗｅｅｎ、陰性対照（例えば、タンパク質の接着を防止することが知られている洗剤）、試料の構成要素に結合してもよい異なる濃度の抗体（例えば、抗ヒトＩｇＧ）、ヒトＩｇＧ、陽性対照（例えば、試料から判定されることが予期される同じ抗原）等の、生体分子によって修飾される。これらの試薬は、入口２５４および出口２５６を密閉することによって、使用前にセクション２５０に格納される。
【００６４】
図４Ｂに示されるように、セクション２０２と２５０とは、流体コネクタ２７８を使用して接続することができ、セクション２０２と２５０とを相互に流体連通させる。流体コネクタ２７８は、試料搭載のために使用されてもよく、その中に含有された試料２８０（例えば、血液）を含んでもよい。本明細書で説明されるように、試料２８０は、好適な方法によって流体コネクタ２７８に導入されてもよく、場合によっては、セクション２０２と２５０との間で流体連通する前に、流体コネクタに導入される。
【００６５】
図４Ｃに図示される実施形態に示されるように、試薬格納域２０４中の流体および試料２８０は、セクション２５０に向かって流れてもよい。流体流動は、例えば、入口２１６および２１７に陽圧を適用することによって（例えば、プランジャ、重力、またはポンプを使用して）、または出口２５６に真空を適用することによって起こってもよい。試料２８０は、最初に反応域２６０（図４Ｃ）に流れ込み、次いで、廃棄物域２７４（図４Ｄ）に流れ込む。検出区域を通る試料の通過は、試料の１つ以上の構成要素と反応域に格納された１つ以上の構成要素との間の相互作用（例えば、結合）を可能にする。この相互作用は、例えば、結合対錯体等の生成物を形成してもよい。試薬格納域から検出区域を越えた流体の後続流動は、生成物の標識化および／または信号増幅を引き起こし得る。
【００６６】
１つの特定の実施形態では、装置２００は、ヒトＩｇＧの免疫学的検定を行うために使用され、信号増幅の銀強化を使用する。流体コネクタから反応域へのヒトＩｇＧを含有する試料の送達後に、ヒトＩｇＧと格納した乾燥試薬である抗ヒトＩｇＧとの間の結合が起こり得る。この結合は、検出区域中で結合対錯体を形成することができる。次いで、試薬格納域２０４の下部分２０６からの格納した試薬は、この結合対錯体を越えて流れることができる。格納した試薬のうちの１つは、検出される抗原（例えば、ヒトＩｇＧ）に特異的に結合する金属コロイド（例えば、金共役抗体）の溶液を含んでもよい。この金属コロイドは、検出区域の表面上の金属（例えば、銀）の層等の、不透明材料の沈積のための触媒表面を提供することができる。金属の層は、チャネル２０８に格納することができる金属前駆体（例えば、銀塩の溶液）、およびチャネル２０９に格納することができる還元剤（例えば、ヒドロキノン）といった、２つの構成要素系統を使用することによって、形成することができる。陽または陰圧差がシステムに適用されると、銀塩およびヒドロキノン溶液は、最終的に交差２１９において融合し、そこで、チャネル２１２に沿ってゆっくりと混合し（例えば、拡散により）、次いで、反応域を越えて流れる。したがって、抗体・抗原結合が反応域中で発生する場合、該領域を通る金属前駆体溶液の流動は、抗体・抗原錯体と関連する触媒金属コロイドの存在による、銀層等の不透明層の形成をもたらすことができる。不透明層は、１つ以上の波長における光の透過率に干渉する物質を含んでもよい。マイクロ流体チャネルに形成される、任意の不透明層は、例えば、抗体または抗原を含まない領域の一部分と比較して、反応域の一部分（例えば、蛇行チャネル）を通る光線透過率の低減を測定することによって、光学的に検出することができる。代替として、被膜が検出区域に形成されているため、時間の関数として光線透過率の変動を測定することによって、信号を取得することができる。不透明層は、不透明層を形成しない技術と比較すると、検定の感度の増加を提供してもよい。
【００６７】
図５Ａ−５Ｆは、本発明の一実施形態による、ヒトＩｇＧ免疫学的検定を行うために使用される装置の画像を示し、実施例の項でさらに詳細に説明する。
【００６８】
免疫学的検定が主に説明されているが、本明細書で説明される装置は、任意の好適な化学および／または生物学的反応に使用されてもよく、例えば、タンパク質または他の生体分子（例えば、ＤＮＡ、ＲＮＡ、炭水化物）または非自然発生分子の間の親和性反応を伴う、他の固相検定を含んでもよいことを理解されたい。
【００６９】
また、本明細書で説明される多くの実施形態は、２つのチャネルまたはチャネルの２つの部分を接続するための流体コネクタの使用を含むが、本明細書の実施形態はまた、流体コネクタを使用せずに、マイクロ流体システムに試料を導入するための部品および方法も含む。例えば、いくつかの実施形態では、マイクロ流体システムに試料を導入するために、開放端流体装置（すなわち、一方の端のみがマイクロ流体システムに接続される装置）が使用されてもよい。
【００７０】
図６は、試料導入に開放端装置を使用するステップに適合する、マイクロ流体装置のブロック図５６０を示す。マイクロ流体装置は、格納した試薬を含有してもよく、化学および／または生物学的反応（例えば、免疫学的検定）を行うために使用することができる。マイクロ流体装置は、例えば、１つ以上のチャネルおよび／または貯蔵部を含んでもよい、試薬格納域５６４と流体連通している試薬入口５６２を含む。装置はまた、試料入口５６５と、試料搭載域５６６と、反応域５６８とを含んでもよい。試料の構成要素を検出するための１つ以上の領域を含んでもよい、反応域は、廃棄物域５７０と流体連通していてもよく、かつ出口５７２に連結されてもよい。いくつかの実施形態では、反応域５６８は、免疫学的検定域である。
【００７１】
図７Ａ−７Ｄは、図６で説明される特徴を有する、マイクロ流体システムの一例を示す。マイクロ流体システム５９０は、システムに試料を導入するための開放端流体装置に適合する。図７Ａでは、流体試薬は、試薬格納域５６４に格納され、乾燥試薬は、反応域５６８に格納される。入口５６２および５６５、ならびに出口５７２は、使用前に密閉される。図７Ｂに図示される実施形態に示されるように、試料入口５６５を覆うシールは、試料５９２が試料入口５６５に導入されることを可能にし、空の蛇行チャネル５９４を含んでもよい試料搭載域５６６に流れ込むことができるように、穿孔する、破る、または除去することができる。試料の流動は、最初は、毛細管力によって起こってもよい。任意的に、シールが試料入口５６５を覆って設置されてもよく、出口に向かった流体流動を引き起こすように、真空を出口５７２に適用することができる（図７Ｃ）。試料は、反応域５６８に流れ込み、その後に、試薬格納域５６４からの格納した流体試薬が続く。図７Ｄに示されるように、試薬の全ては、反応域を通過した後に、廃棄物域５７０に含有されてもよい（または、任意的に、出口を介して装置の外へ退出してもよい）。
【００７２】
本明細書で説明されるように、流体（例えば、試料）は、開放端流体装置および／または流体コネクタ等の種々の装置を使用して、マイクロ流体装置に導入することができる。そのような装置のいくつかの構成が図８−１３に示されているが、本発明は、これらの構成に限定されず、他の構成および／または配設が可能であることを理解されたい。加えて、試料導入構成要素（例えば、開放端流体装置および流体コネクタ）を伴う、本明細書の説明は、マイクロ流体基板への試料の導入を主に説明しているが、そのような構成要素は、試薬（例えば、緩衝剤、増幅試薬、２部系統の構成要素）、気体、および粒子等の任意の好適な物質を導入するために使用することができる。
【００７３】
ポイントオブケア環境で使用される装置については、試料導入構成要素は、職業上の危険からユーザを保護するように設計されてもよい。加えて、試料取り扱いステップの複雑性は、医療実験室外の装置の使用を可能にするように最小化されてもよい。これらの因子は、試料導入構成要素の特定の設計を選択する時に考慮されてもよい。
【００７４】
開放端流体装置および流体コネクタ等の試料導入構成要素は、その中に配置された流路を有する、任意の好適な部品を含んでもよい。試料導入構成要素（ならびにマイクロ流体システムの他のチャネル）は、一貫した、または可変性の内径を有してもよく、例えば、１０対１以上、５０対１以上、または１００対１以上の長さ対内径の比を有してもよい。用途に応じて、任意の直径の試料導入構成要素（またはマイクロ流体チャネル）が使用されてもよく、多くの用途では、例えば、１ｃｍ未満、５ｍｍ未満、１ｍｍ未満、５００ミクロン未満、２００ミクロン未満、１００ミクロン未満、または５０ミクロン未満の内径を有してもよい。より大きい長さ対内径の比を伴う試料導入構成要素（またはマイクロ流体チャネル）は、構成要素（またはマイクロ流体チャネル）に含有される各流体の量を視覚的に示すのに有用であってもよい。例えば、既知の内径の流体装置または流体コネクタ中の流体栓の直線的測定は、流体の体積または相対体積の正確な指示をもたらしてもよい。いくつかの実施形態では、試料導入構成要素は、管を備える。管は、異なる直径、長さ、および材料で容易に入手可能である。管は、可撓性であってもよく、半透明または透明であってもよい。管の中の流体栓は、栓の体積の指示として直線的に測定されてもよい。
【００７５】
試料導入構成要素は、管または別の形状であっても、相互に、かつ構成要素の残りの内部と流体連通していてもよい、２つ以上の分岐またはセクションを含んでもよい。いくつかの実施形態では、管は、相互接続されてもよい、２、３、４、またはそれ以上の分岐を有してもよい。分岐および分岐接合点は、弁を含んでも含まなくてもよい。弁は、管の残りの部分から、１つ以上の分岐およびその中に含有された液体を一時的に隔離するために使用されてもよい。
【００７６】
いくつかの実施形態では、開放端流体装置または流体コネクタ等の試料導入構成要素は、体積制御要素を含む。体積制御要素は、流体が、試料導入構成要素の流路の全体ではないが一部を充填することを可能にすることができる。体積制御要素は、マイクロ流体システムへの導入のために、流体の特定の体積を計測するために使用することができる。一実施形態では、体積制御要素は、流体が特定の体積に到達した後に、さらなる流体が流路の内側に導入されることを阻止するように、試料導入構成要素の流路の内側に設置することができる、フリットである。試料導入構成要素中の流体（例えば、試料）の体積は、流体導入のための進入点（例えば、入口）とフリットとの間の流路の体積によって画定することができ、残りの体積は、空気によって占められてもよい。
【００７７】
一実施形態では、体積制御要素は、どのポイントまで流体が流路に導入されるべきかを示す、１つ以上の計測マークを含む。流路中の流体の体積は、ユーザによって制御されてもよい。
【００７８】
さらに別の実施形態では、体積制御要素は、試料導入構成要素内の流路の直径の変化（例えば、拡大）を含む。例えば、開放端流体装置または流体コネクタは、第１端（例えば、開口部）と、第１の直径を有する流路の第１の部分と、第２端（例えば、開口部）が後に続く、第２の直径を有する流路の第２の部分とを含んでもよい。第２の直径は、第１の直径より大きくてもよい。第１の直径は、毛細管力を介して流路に流体を流れ込ませるために有利であってもよい一方で、第２の直径は、毛細管作用にあまり有利ではなくてもよい（または不適切である）。したがって、流体は、第１端を介して流路の第１の部分に進入してもよく、流体は、流路の第２の部分に到達すると、流路に進入するのをやめてもよい。この実施形態では、試料導入構成要素中の流体（例えば、試料）の体積は、流路の第１の部分の体積によって画定することができ、残りの体積（流路の第２の部分）は、空気によって占められてもよい。当業者であれば、毛細管作用に有利である、またはあまり有利ではない、流路の直径を判定する方法を知っている。
【００７９】
さらに別の実施形態では、体積制御要素は、試料導入構成要素の流路内のパターン化表面を含む。例えば、試料導入構成要素は、第１端（例えば、開口部）と、第１の親水性表面を有する流路の第１の部分と、第２端（例えば、開口部）が後に続く、第２の疎水性表面を有する流路の第２の部分とを含んでもよい。第１の親水性表面は、毛細管力を介して流路に親水性流体（例えば、水性流体）を流れ込ませるために有利であってもよい一方で、第２の疎水性表面は、毛細管作用にあまり有利ではない。したがって、流体は、第１端を介して流路の第１の部分に進入してもよく、流体は、流路の第２の部分に到達すると、流路に進入するのをやめてもよい。この実施形態では、試料導入構成要素中の流体（例えば、試料）の体積は、流路の第１の部分の体積によって画定することができ、残りの体積（流路の第２の部分）は、空気によって占められてもよい。１つの特定の実施形態では、流路の親水性部分は、抗凝固剤（例えば、ヘパリン、キレート剤（例えば、エチレンジアミン４酢酸、ＥＤＴＡ）、またはクエン酸塩）の存在によって画定され、流路の疎水性部分は、抗凝固剤の欠如（または１つ以上の疎水性分子の存在）によって画定される。流路の表面をパターン化するための方法および材料は、当業者によって公知である。
【００８０】
いくつかの実施形態では、開放端流体装置または流体コネクタ等の試料導入構成要素は、上記のもの等の体積制御要素の組み合わせを含むことができる。１つ以上の体積制御要素を含む試料導入構成要素は、毛細管力、真空の適用、陽圧の適用、または弁の使用等による、任意の好適な方法を使用して充填することができる。
【００８１】
以下でさらに詳細に説明されるように、試料導入構成要素は、種々の方法を使用して基板に接続することができる。例えば、試料導入構成要素および／または基板は、圧力嵌合、摩擦嵌合、ネジ嵌合等のネジ式コネクタ、スナップ嵌合、接着嵌合、クリップ、磁気コネクタ、または他の好適な連結機構のうちの１つ以上を含んでもよい。
【００８２】
図８Ａは、装置の入口（例えば、図７Ａの試料入口５６５）に試料を導入するために使用することができる、開放端毛細管７００（例えば、開放端流体装置）の一例を示す。管７００は、開放端７０４（例えば、装置の入口に挿入するため）を有してもよく、端７０２は、開放または閉鎖のいずれかであってもよい。図８Ｂに示されるように、毛細管７１０はまた、例えば、図３に関連して説明されるように、マイクロ流体システムの２つのチャネル（またはチャネルの各部分）を接続するために、流体コネクタとして使用することもできる。管７１０は、開放端７１２および７１４を含むことができる。「Ｕ」字形を形成するように屈曲した毛細管の使用は、２つのチャネル（またはチャネルの各部分）を接続するために使用することができる、多くの可能な装置のうちの１つである。
【００８３】
図８Ａおよび８Ｂの装置は、任意の好適な材料（例えば、ポリマーまたはセラミック）で作ることができ、剛性または可撓性であってもよい。そのような材料の非限定的な例は、ガラス、石英、シリコン、ＰＴＦＥ（テフロン（登録商標））、ポリエチレン、ポリカーボネート、ポリ（ジメチルシロキサン）、ＰＭＭＡ、ポリスチレン、シクロオレフィン共重合体（ＣＯＣ）、およびシクロオレフィンポリマー（ＣＯＰ）を含む。管が可撓性材料で形成される、ある実施形態では、管は、その最終形状で管を維持するように、十分に剛性の材料のホルダの中に設置されてもよい。例えば、図８Ｃに図示される実施形態に示されるように、管７２０は、管の形状を維持するように、ホルダ７３０の溝７３２の中に配置されてもよい。任意的に、ホルダを覆うためにカバー７３４が使用されてもよく、例えば、密閉すること、糊付けすること、結合すること、接着剤を使用すること、または機械的な取付け（例えば、ホルダに挟み込む）によって、ホルダに取り付けられてもよい。他の実施形態では、溝の中に管を配置する代わりに、ホルダは、管を固定するための隆起特徴（例えば、クリップ）を含んでもよい。端７２２および７２４は、マイクロ流体システムの１つ以上のチャネルへの接続を可能にするように露出されてもよい（図８Ｄ）。
【００８４】
一実施形態では、開放端流体装置（例えば、毛細管）または流体コネクタの一部分は、熱または紫外線光への暴露時に硬化する可撓性プラスチック等の放射線感受性材料で作ることができる。所望の形状（例えば、「Ｕ」字形）で装置を折り畳むか、または屈曲させた後、適切な放射線への暴露は、毛細管にその新しい形状を維持させることができる。
【００８５】
さらに別の実施形態では、Ｕ字形設計を形成するように直線の毛細管を屈曲させる代わりに、開放端流体装置または流体コネクタを、その最終形状で直接製造することができる。一例は、マイクロ流体装置上への搭載、および／またはチャネルまたはチャネルの各部分の間の流体接続を可能にすることができる、湾曲形状に膨れた、ガラスでできている毛細管を含む。プラスチックの射出成形または押出を含む、他の製造技術および材料もまた、使用することができる。
【００８６】
図９Ａ−９Ｆに図示される実施形態に示されるように、中空の細長い体積（例えば、マイクロチャネル８０４）を有する一体型装置８００および８３０が、流体コネクタとして使用されてもよい。装置は、剛性であってもよく（例えば、ユーザが毛細管を屈曲させる必要性を回避するため）、任意的に、簡単な取り扱いのためのハンドル（例えば、図９Ｂに示されるような垂直ハンドル８１０、または図９Ｅに示されるような側面ハンドル８１２）を含んでもよい。そのような実施形態では、Ｕ字形毛細管の管のループは、基板８１６に形成される任意の好適な寸法を有する、マイクロチャネル８０４に置換することができる。マイクロチャネルの寸法は、流体の広範囲の体積（例えば、１から１，０００μＬ）を収容するように同調することができる。そのような装置は、流体（例えば、試料）で完全に充填することができ、または、流体で部分的に充填されてもよい（例えば、流路中の流体の量を計測するために体積制御要素を使用して）。また、マイクロチャネルの寸法はまた、毛細管力によるチャネル中の流体の導入を可能にするように選択することもでき、または代替として、流体は、真空を使用して吸引することができる。
【００８７】
チャネルは、例えば、ブロック、接着被膜、またはテープであってもよい、カバー（例えば、カバー８２０および８２２）によって覆われてもよい。図９Ａ−９Ｃに表される装置は、カバー８２０と基板８１６との間の結合ステップ（例えば、接着剤の使用による）を必要としてもよい。いくつかの実施形態では、そのような結合ステップは、装置の表面を覆う接着被膜（例えば、テープ）等のカバー８２２を適用することによって、回避されてもよい（図９Ｄ−９Ｆ）。
【００８８】
図９Ａおよび９Ｄに図示されるように、装置８００および８３０は、流体が流路に導入されること、および／またはマイクロ流体システムのチャネル（またはチャネルの各部分）の間の流体連通を可能にすることができる、アクセスポート８０６および８０８（例えば、入口および出口）を含んでもよい。アクセスポートは、マイクロ流体システムのポートによる密封の形成を可能にするように、任意の好適な形状を有することができる。図９に図示される実施形態に示されるように、ポートは、マイクロ流体装置の円錐開口を補完する、円錐形を有してもよい。
【００８９】
いくつかの実施形態では、いったん流体コネクタがマイクロ流体装置（例えば、図１、３、および４に示される装置）に接続されると、システムにおいて流体流動を引き起こすように、真空が装置の出口に適用される。これらの実施形態では、真空は、補完ポートの間のシールの質を増強してもよい。
【００９０】
流体コネクタの別の例は、図１０Ａおよび１０Ｂに示されている。図１０Ａおよび１０Ｂに図示される実施形態では、流体コネクタ８５２は、２つの部品８５０を組み立てることによって整備される。流体コネクタ８５２は、剛性基板８５８による流路８５５の実装を示すが、他の実施形態では、蛇行チャネル構成を含む、任意の形状を使用することができる。入口および出口ポート８６２および８６４は、マイクロ流体チップの円錐開口とともに気密シールを形成するように、円錐突起部８６５の一部であってもよい。以下でさらに詳細に説明されるように、スナップ式機構または非円錐嵌合等の、より精巧な接続システムを実装することができる。流体コネクタは、所望であれば、ユーザの簡単な取り扱いを可能にするように最適化することができる（設計へのハンドルの追加を含む）。
【００９１】
本明細書で説明される、いくつかの実施形態では、流体コネクタは、基板のマイクロチャネルの直上に位置するアクセス穴に流体コネクタのポートを挿入することによって、マイクロ流体装置（例えば、その中に配置されたマイクロ流体チャネルを含む基板）に接続される。結果として、流体コネクタの流路は、図１１Ａに示されるように、基板のマイクロチャネルの平面に対して直角の平面内にあってもよい。しかしながら、いくつかの用途では、（例えば、側面接続を使用して）マイクロチャネルネットワークと同じ平面内に流体コネクタを設置することの利点がある。この構成の１つの利点は、（例えば、高度並列検定のために）マイクロ流体装置の観察に利用可能な領域を最大限化することであってもよい。別の利点は、相互の最上部上に多数の装置を積層することを可能にする一方で、各装置が流体分注器または他の器具にアクセス可能となることを可能にすることであってもよく、これは、器具の格納スペースを節約することができる。そのような実施形態では、流体コネクタ８７２は、基板８８０の端部分８７６に接続されてもよい。他の場合においては、流体コネクタは、９０−１８０度の間または０−９０度の間の角度で基板に接続されてもよい。したがって、本明細書で説明される流体コネクタは、任意の好適な構成で基板に接続されてもよい。
【００９２】
流体コネクタとマイクロ流体基板との間で良好な（例えば、流体密封の）シールを形成することの信頼性および単純性は、ポイントオブケア環境で使用するための装置の決定的な設計側面である。その点について、流体コネクタまたは基板自体は、ユーザがマイクロ流体基板の上または中に装置を挿入するのに役立つように、付加的な特徴を含むことができる。例えば、一実施形態では、流体コネクタは、取付け時に流体コネクタと基板との間に非流体接続を形成するよう、基板の特徴を補完する少なくとも１つの非流体特徴を含む。非流体補完特徴は、例えば、流体コネクタの突出特徴、およびマイクロ流体基板の対応する補完空洞であってもよく、ユーザが流体コネクタを基板に整列させるのに役立つことができる。また、これらの誘導特徴はまた、装置を適所に維持するのに役立つこともできる。他の場合においては、基板は、流体コネクタの空洞を補完する突出特徴を含む。さらに別の実施形態では、装置は、基板と関連し、かつ流体コネクタと係合し、それにより、基板に対する所定の設定構成にコネクタを配置するように構成および配設される、整列要素を含む。これらおよび他の特徴の例を、以下でさらに詳細に説明する。
【００９３】
図１２Ａ−１２Ｅは、接続を形成するように２つの構成要素をスナップ留めすることによってマイクロ流体基板への流体コネクタの取付けを可能にする、実施形態を図示する。スナップ式機構が構成要素間の良好な密閉を可能にしてもよく、かつユーザが診断的検査の取り扱いを誤る可能性を減少させてもよいため、この構成は、ポイントオブケア診断を伴う用途に特に有用であってもよい。流体コネクタを基板にスナップ留めしている間にユーザが経験する音および／または感触は、構成要素の取付けの成功のためのガイドまたは制御として使用することができる。
【００９４】
図１２Ａに図示されるように、流体コネクタ９００は、相互に対して両方の半分を閉鎖する際に流路９１２を形成する、２つの同一の第１の部分９１０（１つしか示されていない）を含むことができる。他の場合においては、流体コネクタは、その中に配置された流路９１２を含む、単一の一体部品を含む。流路の端部分９１６および９１８（例えば、入口および出口）は、基板の特徴を補完してもよい、特徴９２２および９２４を介して、マイクロ流体基板（図示せず）に接続されてもよい。流体コネクタはまた、挿入クリップ９３４用の開口部９３０を含んでもよい。クリップは、２つ以上のスナップ特徴（例えば、くぼみ）９３６および９３８を含んでもよく、これらの特徴は、任意の好適な材料（例えば、ポリマー）で形成されてもよく、クリップおよび／または基板の材料と同じ、または異なる材料で形成されてもよい。特徴９３８は、クリップを第１の部分９１０に接続するために使用されてもよく、特徴９３６は、クリップをマイクロ流体基板に接続するために使用されてもよい。そのような特徴は、クリップが流体コネクタおよび／または基板に不可逆的に取り付けられることを可能にしてもよい。図１２Ｂは、クリップの拡大図を図示する。他の実施形態では、流体コネクタは、直接的に９１０の一部となり得る、スナップ特徴を伴って製造することができる。例えば、流体コネクタは、クリップ９３４の使用なしで特徴９３６を含んでもよい（図示せず）。
【００９５】
図１２Ｃに図示される実施形態に示されるように、いったんクリップが開口部９３０に挿入されると（例えば、特徴９３８が開口部９３０−Ｂに交わる時）、クリップは、流体コネクタの部分９１０に取り付けられてもよい。同様に、図１２Ｄに図示されるように、流体コネクタは、基板への流体コネクタの取付け（図９Ｅ）を引き起こすように、マイクロ流体基板９４０の一部分に挿入されてもよい。スナップ特徴は、流体コネクタをマイクロ流体基板における正しい位置に誘導することができる。以下でさらに詳細に説明されるように、基板への流体コネクタの取付けは、可逆的または不可逆的であってもよい。この取付けは、流路９１２を介して、基板の位置９４２における第１のチャネルと基板の位置９４４における第２のチャネル（または第１のチャネルの一部分）との間の流体連通を引き起こすことができる。本明細書で説明されるように、流体コネクタは、取付けの前または後に試料を搭載してもよい（例えば、端部分９１６または９１８を介して）。
【００９６】
図１２Ａ−１２Ｅに関して説明されるスナップ式機構の代案として、図１３に図示されるようなジップタイ機構を使用して、流体コネクタをマイクロ流体基板に取り付けることができる。図１３は、特徴９６２（例えば、くぼみ）を含む部分９６０を補完する、特徴９５６（例えば、突起部）を含む構成要素９５５を示す。構成要素９５５は、流体コネクタの一部であってもよく、部分９６０は、マイクロ流体基板の一部であってもよい。場合によっては、構成要素９５５は、その中に配置された流路９５８を含む。
【００９７】
図９、１０、１２、および１３に示されるもの等の、部品および基板を接続するための部品は、流体コネクタおよび基板に関連して説明されているが、そのような特徴はまた、装置の他の部品を接続するために使用されてもよい。例えば、そのような特徴は、開放端流体装置および基板、基板およびカバー、および／または装置の複数の基板層等の構成要素を接続するために使用されてもよい。
【００９８】
基板の特徴を補完する、少なくとも１つの特徴を備える部品（例えば、流体コネクタ）を伴う、本明細書で説明される実施形態では、特徴は、部品と基板との間の可逆的な接続を形成するように設計されてもよい。そのような実施形態は、例えば、再利用可能な装置に有用であってもよい。他の実施形態では、そのような補完特徴は、部品と基板との間の不可逆的な接続を形成する。不可逆的な接続は、部品および基板を一体化して接続させてもよい。本明細書で使用されるように、「一体化して接続される」という用語は、２つ以上の物体を参照する時に、通常の使用プロセス中に相互から分離されない、例えば、手動で分離することができない物体を意味し、分離は、例えば、接着剤または工具を介して供に締結された構成要素を破る、剥がす、または分離することによる、少なくとも道具の使用、および／または、構成要素のうちの少なくとも１つに損傷を引き起こすことを必要とする。不可逆的な接続を形成する特徴を含む装置は、例えば、１回限り使用の（例えば、使い捨て）装置に有用であってもよい。そのような装置は、ユーザが接続後に装置において行われている化学および／または生物学的反応に干渉できないように、不可逆的な接続を形成してもよい。
【００９９】
図１２および１３に図示される例は、流体コネクタとマイクロ流体基板との間に３つ以上の接続（例えば、流体または非流体接続）を含む。この特性は、追加接続（例えば、非流体接続）点が機械的応力（例えば、ユーザの取り扱いによる）および衝撃（例えば、装置の不適正な使用）に対する取付けの安定性を増加させることができるため、有用であってもよい。加えて、各追加接続点が流体コネクタと基板との間の接触域を増加させることができる一方で、流体コネクタと基板との間に流体密封シールを形成するステップと関連する領域は不変のままとなることができる。代替として、単一の非流体接続は、良好な密閉性質を生じるのに十分であってもよい。
【０１００】
本明細書で説明される多くの実施形態は、単一流路を有する試料導入構成要素（例えば、流体コネクタ）を含むが、試料導入構成要素は、２つ以上の流路および／または分岐流路を含んでもよいことを理解されたい。例えば、図１２Ｅに図示される実施形態に示されるように、流体コネクタ９００は、任意的に、入口９４７を流路９１２に接続する、二次流路９４６を含んでもよい。この設計は、例えば、流体コネクタ９００が基板に接続された後に、入口９４７および二次経路９４６を介した流体流路９１２への流体の導入を可能にすることができる。代替として、流体は、流体コネクタおよび基板の接続前に、入口９４７を介して流路９１２に導入することができる。
【０１０１】
加えて、本明細書で説明される流体コネクタ等の試料導入構成要素は、生物学的実体から流体試料を受容するために使用される、１つ以上の試料採取要素を含んでもよい。試料採取要素は、例えば、針または綿棒の形であってもよい。試料採取要素は、試料導入構成要素に可逆的または不可逆的に取り付けられてもよい。場合によっては、試料採取要素は、生物学的構成要素を穿刺することができる。例えば、図１２Ｅに図示される実施形態に示されるように、流体コネクタ９００は、ヒト皮膚等の構成要素を穿刺するために使用されてもよい、例えば、中空の鋭い先端（例えば、針）の形の（滅菌）試料採取要素９４８を含んでもよい。この構成は、試料採取要素が生物学的構成要素から流体試料を受容することを可能にすることができ、生物学的実体から流路９１２への流体の移動（例えば、毛細管力による）を可能にすることができる。流体が入口９４７に導入された後、二次流路９４６は、例えば、流路９４６の形状を補完する形状を有してもよい、構成要素９４９を使用して、封鎖することができる。この封鎖は、流動のための流路が１つしかないように、流体が二次流路に再進入することを防止することができる。この配設はまた、ユーザが試料採取要素９４８にさらに暴露されることを防止することもできる。
【０１０２】
一実施形態では、試料を取得するために、構成要素９４９（任意的に流路を含む）を使用することができ、二次流路９４６への構成要素の挿入時に、試料を構成要素から流路９１２へ移動させることができる。ある実施形態では、構成要素の挿入は、流動のための流路が１つしかないように、流体が二次流路に再進入することを防止する。
【０１０３】
いくつかの実施形態では、試料導入構成要素は、１次流路に直接接続される試料採取要素を含む。例えば、図１０に図示される実施形態では、マイクロ流体基板の特徴を補完してもよい、円錐突起部８６５は、生物学的構成要素の穿刺を可能にすることができる、端における試料採取要素を含んでもよい。試料採取要素はまた、本明細書で説明される開放端流体装置（例えば、図８Ａに示されるような）および／または他の流体コネクタ（例えば、図８Ｂ）の一部として存在してもよい。
【０１０４】
本明細書で説明される装置は、任意的に、基板と関連する整列要素を含んでもよい。整列要素は、流体コネクタと係合し、それにより、基板に対する所定の設定構成に流体コネクタを配置するように構成および配設されてもよい。図１４Ａおよび１４Ｂに図示される実施形態に示されるように、装置９６４は、基板９６６と、流体コネクタ９６８と、整列要素９８０とを含んでもよい。基板９６６は、例えば、図１−７、１１、１７−１８に示されるような、本明細書で説明されるもの等のマイクロ流体システムを含んでもよい。マイクロ流体システムは、例えば、少なくとも、入口および出口を含む第１のマイクロ流体チャネルと、入口および出口を含む第２のマイクロ流体チャネル（図示せず）を備えてもよい。本明細書で説明されるような構成を有してもよい、流体コネクタ９６８は、基板への接続に一致するために構成されてもよい。流体コネクタは、流路入口９７２および流路出口９７４を有する流路９７０を含んでもよい。基板への流体コネクタの接続時に、流路入口は、基板の第１のマイクロ流体チャネルの出口に接続してもよく、流路出口９７４は、基板の第２のマイクロ流体チャネルの入口に接続してもよい。この接続は、基板の第１と第２のマイクロ流体チャネルとの間の流体連通をもたらすことができる。
【０１０５】
図１４Ａおよび１４Ｂの例示的実施形態に示されるように、装置は、基板と関連し、基板とほぼ垂直に延在する、整列要素９８０を含んでもよい。例えば、基板９６６（ならびに第１および第２のマイクロ流体チャネル）は、概して、矢印９７５と９７７との間で画定される平面内に位置するが、整列要素９８０は、矢印９７５と９７６とによって画定される平面内で、基剤と略垂直に延在する。他の実施形態では、整列要素は、基板にほぼ平行に延在してもよい。
【０１０６】
図示されるように、整列要素９８０は、流体コネクタを受容および係合し、それにより、基板に対する所定の設定構成にコネクタを配置するように構成および配設される、空洞９８１を含む。空洞は、例えば、少なくとも０．５ｃｍ、少なくとも１ｃｍ、少なくとも１．５ｃｍ、少なくとも２ｃｍ、または少なくとも３ｃｍの深さ（例えば、流体コネクタおよび整列要素の係合時に流路入口および／または流路出口の位置から測定されるような）を有してもよい。空洞は、流体コネクタの高さと同様または平等な深さを有してもよい。空洞は、流体コネクタを受容および係合し、それにより、基板に対する所定の設定構成にコネクタを配置するように構成および配設される限り、必ずしも流体コネクタの全側面を包含する必要はない。
【０１０７】
いくつかの実施形態では、整列要素および流体コネクタの構成は、摺動運動によって、整列要素への流体コネクタの挿入を可能にするように適合されてもよい。例えば、流体コネクタは、流体コネクタが整列要素に挿入されると、整列要素の１つ以上の表面に対して摺動してもよい。
【０１０８】
整列要素は、流体コネクタに係合するための任意の好適な構成を有してもよい。いくつかの実施形態では、整列要素（または整列要素の空洞）は、係合時に、流体コネクタの１つ、２つ、３つ、４つ、またはそれ以上の表面、例えば、表面９８４、９８５、９８６、および／または９８７と接触していてもよい。流体コネクタと接触している整列要素の１つ以上の表面は、例えば、矢印９７６と９７７との間、矢印９７６と９７５との間、およびそれらの間で画定される平面に沿って、基板から延在してもよい。
【０１０９】
加えて、整列要素の全体または一部分は、例えば、基板の厚さ９７９の少なくとも１倍、２倍、３倍、４倍、５倍等以上であってもよい、高さ、厚さ、または深さ（例えば、流体コネクタの進入のため）を有してもよい。整列要素は、例えば、少なくとも０．５ｃｍ、少なくとも１ｃｍ、少なくとも１．５ｃｍ、少なくとも２ｃｍ、または少なくとも３ｃｍの高さまたは厚さ（例えば、流体コネクタおよび整列要素の係合時に流路入口および／または流路出口の位置から測定されるような）を有してもよい。整列要素のより大きい高さ／厚さは、いくつかの実施形態では、整列要素の中への流体コネクタのさらなる安定化および／または誘導を可能にしてもよい。寸法は、変動することができ、流体コネクタおよび基板の寸法等の種々の因子に依存してもよい。
【０１１０】
任意的に、整列要素は、流体コネクタの一部分に係合してもよい、１つ以上の係合構成要素を含んでもよい。図１４Ａは、係合構成要素９８２を有する流体コネクタを示す。係合構成要素は、例えば、流体コネクタおよび整列要素の係合時に流路入口および／または流路出口の位置から測定されるような、少なくとも０．５ｃｍ、少なくとも１ｃｍ、少なくとも１．５ｃｍ、または少なくとも２ｃｍの高さを有してもよい。
【０１１１】
場合によっては、整列要素は、流体コネクタの係合構成要素を補完する係合構成要素を含む。係合構成要素は、例えば、溝または他のくぼみ、突起部（例えば、図１３に示されるような）、および／または、少なくとも部分的に変形可能であってもよいＯリング等の機構を含んでもよい。係合構成要素は、任意の好適な形状および／または形態を有してもよいことを理解されたい。場合によっては、係合構成要素は、整列要素が流体構成要素を受容する時（例えば、整列要素への流体構成要素の挿入時）、および／または装置の目的の使用中に、基板および／または整列要素に対する流体コネクタの移動への多大な抵抗を生成する。例えば、整列要素９８０の空洞に流体コネクタ９６８を挿入する１回の行為は、流体コネクタおよび整列要素の構成要素の係合を相互作用させ、それにより、基板および／または整列要素に対する流体コネクタの移動への多大な抵抗を生成してもよい。したがって、ある実施形態では、別個のクランプまたは他の締結機構、および／または締結するための二次ステップは、必要とされない。
【０１１２】
いくつかの実施形態では、係合構成要素は、整列要素を一体化して接続させる。１つの特定の実施形態では、係合構成要素は、整列要素（または流体コネクタ）の特徴に挟み込んでもよいスナップ特徴である。そのような特徴および他の特徴は、いくつかの実施形態では、流体コネクタが整列要素および／または基板に不可逆的に取り付けられる（例えば、一体化して接続される）ことを可能にすることができる。他の場合においては、整列要素および流体コネクタは、相互に可逆的に取り付けられるように設計される。したがって、係合構成要素は、それらの接続時に、基板に対する所定の設定構成で流体コネクタおよび基板の係合を促進してもよい。
【０１１３】
いくつかの実施形態では、整列要素の空洞および／または係合表面の構成は、流体コネクタの流路を基板とほぼ垂直に（したがって、基板内のマイクロ流体チャネルとほぼ垂直に）位置させる。例えば、図１４Ａおよび１４Ｂに図示されるように、流路９７０は、矢印９７５および９７６によって画定される平面内で基板とほぼ垂直である。他の実施形態では、流体コネクタの流路は、基板に対して９０−１８０度の間または０−９０度の間の角度で位置する。
【０１１４】
図１４Ａおよび１４Ｂは、基板の一方の端に配置された整列要素９８０を示すが、他の実施形態では、整列構成要素は、例えば、基板の対向端に向かって、基板の長さＬに沿って延在することができる。例えば、整列構成要素は、基板と同様の長さおよび幅を有するブロックであってもよいが、流体コネクタが挿入される空洞を含んでもよい。さらに、図１４Ａおよび１４Ｂは、２つの構成要素の形の整列要素９８０を示すが、いくつかの実施形態では、整列要素は、単一構成要素の形であってもよい。他の実施形態では、整列要素は、３つ以上の構成要素の形である。
【０１１５】
いくつかの実施形態では、整列要素および基板は、例えば、射出成形によって、場合によっては１ステップで加工することができる、材料の単一断片の形である。例えば、図１５Ａおよび１５Ｂの例示的実施形態に示されるように、整列要素９９０は、マイクロ流体システムを含有する基板９９１の一部であってもよい。
【０１１６】
対照的に、図１６Ａおよび１６Ｂの例示的実施形態に示されるように、マイクロ流体システムを含む基板９９２および整列要素９９４は、使用前に結合することができる、別個の部品である。整列要素および基板は、例えば、図１２Ａおよび１２Ｂに関連して説明されるように、基板の各部分にクリップ９３４を挿入することによって接続されてもよい。この接続は、装置を使用してユーザが受容する前に行われてもよい。他の場合においては、ユーザは、基板に整列要素を挿入し、その後、整列要素に流体コネクタを挿入することができる。代替として、ユーザは、整列要素に流体コネクタを挿入し、その後、基板に整列要素を挿入してもよい。
【０１１７】
図１４および１５はまた、流体コネクタの係合構成要素９８２と係合する、係合構成要素９８３を含む、整列要素も示す。装置は、流体コネクタ９６９を矢印９７８の方向で整列要素に挿入する一方で、挿入後に整列要素からの流体構成要素の除去（例えば、矢印９７８の反対方向で）を防止または抑制することができるように、構成されてもよい。
【０１１８】
整列要素は、本明細書で説明される他の特徴と組み合わせられてもよいことを理解されたい。例えば、整列要素は、例えば、図１および１２に関連して説明されるように、取付け時に流体コネクタと基板との間に非流体接続を形成するよう、基板の特徴を補完する少なくとも１つの非流体特徴を含む、流体コネクタと関連してもよい。
【０１１９】
特に、装置において化学および／または生物学的反応（例えば、免疫学的検定）を行う時に、流体コネクタとともにマイクロ流体装置を使用することのいくつかの利点がある。したがって、本明細書で説明される装置は、（ａ）試料の無駄が少ししかないか、または全くない、少量の試料の使用、（ｂ）装置に格納される化学および／または生物学的試薬の長期安定性、（ｃ）格納した試薬の間および／または試料と試薬との間の交差汚染の低減、（ｄ）試料計測、（ｅ）訓練を受けていないユーザにとって、装置に試料を導入するための使用の容易性、（ｆ）試薬の効率的な混合、および（ｇ）検定の信頼性等の、１つ以上の利点を有してもよい。いくつかの実施形態では、装置は、上記に記載される利点の全てを有する。
【０１２０】
流体コネクタ（ならびに開放端流体装置）は、化学および／または生物学的反応を行うために必要とされる試料の量に一致する内部体積を有するように設計することができるため、試料の無駄が少ししかないか、または全くない、少量の試料の使用を使用することができる。このことは、システムの死空間の量を低減することができる。任意的に、上記のように、流体コネクタおよび開放端流体装置は、特定量の試料の収集を可能にするように、１つ以上の体積制御要素を含むことができる。
【０１２１】
本明細書で説明される装置は、ポイントオブケア用途に使用されてもよく、第１の使用の数ヶ月（または数年）前に製造することができる。第１の使用前に装置の中で構成要素の格納を必要とする、いくつかの実施形態では、製造時に導入される全ての生体分子および試薬が、長期間にわたって残存することが重要である。例えば、反応域中で、捕捉抗体をマイクロチャネルの表面に物理吸着することができ、安定剤（例えば、トレハロース）を使用して乾燥形態で安定させることができる。
【０１２２】
空隙によって分離された液体栓の形の試薬の格納が、長期間にわたって安定したと以前に実証されている（例えば、その全体で参照することにより本明細書に組み込まれる、２００５年１月２６日出願の「Ｆｌｕｉｄ  Ｄｅｌｉｖｅｒｙ  Ｓｙｓｔｅｍ  ａｎｄ  Ｍｅｔｈｏｄ」と題された国際特許公報第ＷＯ２００５／０７２８５８号（国際特許出願第ＰＣＴ／ＵＳ２００５／００３５１４号）を参照）。
【０１２３】
液体および乾燥試薬の両方は、単一のマイクロ流体基板上に格納されてもよい。本明細書で説明されるように、いくつかの実施形態では、特定の環境（例えば、格納）条件によっては、試薬を含有するチャネルが相互に流体連通している場合に、水蒸気の輸送が湿潤試薬を乾燥させ、乾燥分子を水和させ得るため、液体試薬を含有するチャネルは、乾燥試薬を含有するチャネルと流体連通していない。このことは、ある装置上に格納される全ての試薬の長期安定性に影響を及ぼすことができる。物理的に分離され（例えば、異なるチャネル中にある）、湿潤視野買うと流体連通していない乾燥試薬を含む、流体コネクタおよびマイクロ流体基板の使用を伴うシステムは、マイクロ流体装置の使用時のみに流体連通を可能にすることができる。この構成は、長期格納のために試薬の安定性を強化することができる。しかしながら、他の実施形態では、液体および乾燥に流体連通して格納することができる（例えば、短期格納）。
【０１２４】
本明細書で説明されるマイクロ流体装置の別の利点は、格納した試薬の間および／または試料と試薬との間の交差汚染の低減であってもよい。交差汚染は、ある実施形態では、試薬の栓が巻き込まれ得る、マイクロ流体チャネルの間の交差において発試薬は、相互生する場合がある。これらの試薬は、同じ交差を流れ過ぎる後続試薬を汚染し得る。流体コネクタの使用は、マイクロチャネルネットワークを大いに単純化し、装置上の交差の数、したがって、潜在的な交差汚染の問題を低減するか、または未然に防ぐことができる。
【０１２５】
試料計測は、多くのマイクロ流体用途にとって別の重要な要件である。しばしば、これはオフチップで行われ、体積全体が装置の内側に流れることを望んで、正確な試料体積がチップ上に搭載される。本明細書で説明される流体コネクタにより、マイクロ流体装置の内側に導入することができる試料の量を正確に測定することができ、試料の体積全体を装置の反応域に送ることができる。
【０１２６】
本明細書で説明されるように、試料導入構成要素（例えば、流体コネクタおよび開放端流体装置）のいくつかの設計は、訓練を受けていないユーザによって使用することができる（例えば、図８−１６に関連して説明される実施形態を参照）。これらの構成要素は、試料搭載手順を促進するように、かつマイクロ流体基板への流体コネクタの簡単な取付けを可能にするように設計することができる。そのような装置は、訓練を受けていないユーザによるポイントオブケア環境で特に有用であってもよい。
【０１２７】
本明細書で説明されるシステムおよび方法の別の利点は、装置上の試薬の効率的な混合を含んでもよい。効率的な混合の一例は、触媒（例えば、貴金属）による還元剤（例えば、ヒドロキノン）による銀イオンの還元に基づく銀強化学反応に関連して、本明細書で説明されている。免疫学的検定を伴う実施形態では、二次抗体は、金コロイド（触媒）で標識化することができる。銀イオンおよびヒドロキノンの混合物の存在下で、金コロイドの表面に銀の複数の層を生成することができ、コロイドのサイズを増加させる。１０分間の増幅後、コロイドのサイズは、例えば、約１，０００という因数だけ増加させることができ、光学装置で観察することができる銀の粒子を表面上に生じる。良好な増幅結果（例えば、背景の増幅が少ししかない大きな信号増幅）を達成するために、例えば、分離したチャネルまたは容器の中で、増幅試薬を別々に格納し、使用の直前のみに混合することができる。マイクロ流体装置において、チャネルの断面寸法は、小さくてもよく、流動は、層流であってもよく、これは、混合が主に拡散によって発生することを意味し、典型的には不十分で遅い。しかしながら、流路が基板のマイクロチャネルの断面寸法よりも比較的大きい断面寸法（したがって、比較的大きい体積）を有してもよいため、試薬の流動の層流特性は、流体コネクタの流路を通って進行する時に減少させられてもよい。したがって、ある実施形態では、各流体コネクタは、カオス混合器としての役割を果たすことができ、２つ以上の試薬の混合を有意に向上させることができる。上記の例では、この混合は、増幅化学反応の再現性を向上させることができる。
【０１２８】
本明細書で説明される、いくつかの実施形態では、マイクロ流体装置は、使用時に（例えば、流体コネクタおよび基板の取付け時）５つ、４つ、３つ、２つ、または１つ未満のチャネル交差を有する単一の相互接続チャネルのみを含む。流体がマイクロ流体チップを横断して進行するために１つしか可能な流路がないため、最小の交差を有するか、交差を有しない単一チャネルに基づくレイアウトに信頼性があってもよい。これらの構成では、装置において行われる化学および／または生物学的反応の信頼性は、多くの交差を有する設計と比較して多いに向上される。各交差（例えば、３方向以上の交差）において、流体が間違ったチャネルに進入する可能性があるため、この向上が生じる。チャネル交差無しで試料を搭載する能力は、流体が間違ったチャネルに進入する危険性を排除することができる。交差が製品開発において考慮しなければならない危険因子を示す場合があるため、各相互接続における正しい流体挙動を保証するために、制御（オンチップ、または外部点検に基づく）を設定しなければならない。本明細書で説明される、ある実施形態では、そのような付加的な制御の必要性を軽減することができる。
【０１２９】
上記のように、試薬は、種々の方法を使用してマイクロ流体装置に格納することができる。そのような方法は、少なくとも部分的に、試薬が格納される形態（例えば、乾燥または湿潤）、マイクロ流体システム内のチャネルの構成（例えば、チャネルが相互接続されるか、または接続されないか）、格納の時間の長さ、および／または特定の用途に依存してもよい。
【０１３０】
図２を再び参照すると、いくつかの実施形態では、第１の試薬（または一連の試薬）は、試薬格納域６４のチャネルまたは貯蔵部の中等の、基板に形成される第１のチャネルの中に配置される。第２の試薬（または一連の試薬）は、免疫学的検定域６８のチャネルまたは貯蔵部の中等の、基板に形成される第２のチャネルの中に配置されてもよい。場合によっては、第１および第２のチャネルは、試薬を配置する間に、相互に流体連通していない。第１および／または第２の試薬は、最初に、チャネルの中で試薬を流し、次いで、チャネルの入口および／または出口を密閉することによって、それらの各チャネルの中に配置されてもよい。
【０１３１】
第１および／または第２の試薬は、それらの各チャネルの中に配置された後に、大幅に改変されてもよい。例えば、場合によっては、第１および／または第２の試薬は、チャネルの中で試薬を流した後に乾燥させられる。任意的に、乾燥試薬は、例えば、検定の実行中に非特異的吸収を低減してもよい、第３の試薬（例えば、遮断薬）で処置されてもよい。乾燥試薬は、マイクロ流体チャネルの１つ以上の入口および／または出口を密閉することによってチャネルに格納されてもよい。
【０１３２】
場合によっては、試薬は、マイクロ流体チャネルシステムの完全な加工の前にチャネルの中に配置される。例えば、閉鎖チャネルを有するように設計されているシステムが、まだ完全に閉鎖してないチャネルを有する場合は、マイクロ流体チャネルシステムは完成していない。チャネルの少なくとも１つの部分が完全に封入された断面を有する場合、またはチャネル全体がその入口および／または出口を除く全長に沿って完全に封入されている場合に、チャネルは封入されている。
【０１３３】
いくつかの実施形態では、１つ以上の試薬は、検出区域（例えば、図３の検出区域１６２、１６４、１６６、および１６８）に試薬の液滴を設置することによって、基板の検出区域上に配置される。基板は、隣接する検出区域にわたる水性試薬の拡散を防止することができる、疎水性材料で形成されてもよい。検出区域における試薬は、乾燥させられてもよく、カバーは、チャネルシステムの加工を完成させるように基板に隣接して設置されてもよい。後に、チャネルの任意の入口および／または出口を密閉することができる。
【０１３４】
一実施形態では、１つ以上の試薬は、カバー上に配置され（例えば、パターン化される）、次いで、カバーは、基板に形成されるマイクロ流体チャネルシステムを封入するために使用される。カバー上の試薬は、マイクロ流体システム内のある領域と整列してもよい。例えば、１つの特定の実施形態では、試薬（例えば、抗体）は、図３の検出区域１６２、１６４、１６６、および１６８と一致する配設（例えば、形状および寸法）でパターン化される。試薬は、乾燥させることができ、次いで、カバーは、試薬がマイクロ流体システムの検出区域の中に配置されるように、基板に対して密閉することができる。カバーは、例えば、生体適合性接着剤（例えば、基板上で調製される）となり得て、ポリマー（例えば、ＰＥ、ＣＯＣ、ＰＶＣ）または無機材料で作ることができる。いくつかの用途では、カバーの材料および寸法は、カバーが水蒸気に対して略不透過性となるように選択される。他の実施形態では、カバーは、非接着性となり得るが、熱、レーザエネルギー、または超音波エネルギーの直接適用によってマイクロ流体基板に熱的に結合されてもよい。チャネルの任意の入口および／または出口は、装置に試薬を導入した後に密閉することができる（例えば、入口および／または出口を覆って接着剤を設置することによって）。
【０１３５】
湿潤試薬は、典型的には、システムのチャネルが完全に覆われた後にマイクロ流体システムに格納される。システムに格納される流体試薬は、チャネルの入口に導入されてもよく、少なくとも部分的にチャネルを流体で充填した後に、例えば、流体を保持するように、および外部源からの汚染を防止するように、チャネルの入口および／または出口を密閉することができる。
【０１３６】
場合によっては、マイクロ流体システムに格納される１つ以上の流体は、容器（例えば、カートリッジ、管、または流体コネクタ）からマイクロ流体システムへ移動させられる。容器は、例えば、両者と混合しない第３の流体によって分離される、２つ以上の異なる流体を含有してもよい。任意の数の異なる流体が容器に含有されてもよい。例えば、一実施形態では、容器は、試薬溶液栓を含み、その後に空気栓が続き、その後に洗浄溶液栓が続く、管である。付加的な空気栓は、第２の洗浄溶液栓から第１の洗浄溶液栓を分離してもよい。液体栓は、管の中でそれらの相対位置を保持してもよく、間隔を置いた空気栓によって相互に接触できないようにされてもよい。マイクロ流体システムに流体を送達するための部品および方法は、その全体で参照することにより本明細書に組み込まれる、２００５年１月２６日出願の「Ｆｌｕｉｄ  Ｄｅｌｉｖｅｒｙ  Ｓｙｓｔｅｍ  ａｎｄ  Ｍｅｔｈｏｄ」と題された国際特許公報第２００５／０７２８５８号（国際特許出願第ＰＣＴ／ＵＳ２００５／００３５１４号）でさらに詳細に説明されている。
【０１３７】
線形順序で流体栓を含有する容器を使用すると、特定の順序で容器からマイクロ流体システムへの流体の導入を可能にすることができる。次いで、これらの流体は、特定の順序でマイクロ流体システムに（例えば、試薬格納域に）格納することができる。流体を含有するチャネルの入口および／または出口は、例えば、流体を保持するように、および外部源からの汚染を防止するように、密閉することができる。いくつかの実施形態では、特定の一連の流体は、流体コネクタに含有される。例えば、特定の一連の流体は、直列に配置される試薬（例えば、試料、緩衝剤、試料と結合する構成要素等）を含んでもよく、任意的に、非混合性流体によって分離されてもよい。この一連の流体は、流体コネクタおよび基板を流体的に接続することによって、マイクロ流体基板に導入することができる。
【０１３８】
いくつかの実施形態では、１つ以上の流体を格納するために、比較的大きい長さ対内径の比（または高い表面積対体積の比）を有するマイクロ流体チャネルまたは流体コネクタが使用される。この構成は、既知の内径の流体装置または流体コネクタ中の１つ以上の流体栓の直線的測定を可能にすることができ、流体の体積または相対体積の正確な指示をもたらしてもよい。この特徴は、特に、チャネル中の１つ以上の流体の長期または短期格納後に、正確な量または正しい量の流体がチャネルに含有されているかどうかを判定するために有用であってもよい。例えば、チャネルが比較的大きい長さ対内径の比（例えば、１０以上対１、５０以上対１、または１００以上対１）を有する場合、流体の損失（例えば、蒸発による）がチャネル中の気泡または空き部分の存在をもたらし得るため、ユーザは、簡単な点検によって、正確な量または正しい量の流体がチャネルに含有されているかどうかを判定することが可能であってもよい。そのような気泡または空き部分が存在するか、またはチャネル中の流体の量が装置に示される範囲外である場合、ユーザは、装置を使用すべきではないと警告されてもよい（例えば、装置に付随する命令によって）。この目視点検は、流体を格納するための比較的小さい長さ対内径の比（または低い表面積対体積の比）を有する貯蔵部を有する、ある装置では、困難な場合がある。
【０１３９】
試薬は、種々の時間量にわたってマイクロ流体システムに格納することができる。例えば、試薬は、１時間以上、６時間以上、１２時間以上、１日以上、１週間以上、１ヶ月以上、３ヶ月以上、６ヶ月以上、１年以上、または２年以上、格納されてもよい。任意的に、マイクロ流体システムは、格納を延長するために、好適な方式で処置されてもよい。例えば、その中に含有される、格納した試薬を有するマイクロ流体システムは、真空密閉され、暗室環境で格納され、および／または低温（例えば、０℃以下）で格納されてもよい。格納の長さは、使用される特定の試薬、格納した試薬の形態（例えば、乾燥または湿潤）、基板およびカバー層を形成するために使用される寸法および材料、基板およびカバー層を接着するための方法、および装置が全体として処置または格納される方法等の、１つ以上の因子に依存する。
【０１４０】
本明細書で説明されるように、特に反応域内のマイクロ流体チャネルまたは貯蔵部の異なるセクションは、それぞれ、チャネルまたは貯蔵部に格納することができる、異なる種（例えば、捕捉分子）で修飾することができるため、マイクロチャネルのチャネルを通って進行する試料は、種のそれぞれを越えて連続して進行することができる。マイクロ流体チャネルのセクションは、例えば、図２−７および１４−１７に関連して本明細書で説明されるような、検出区域（例えば、蛇行チャネル領域）であってもよい。いくつかの実施形態では、これらのセクションは、直列に接続される。他の実施形態では、セクションは、並列に接続される。さらに他の実施形態では、装置は、直列および並列に接続されるセクションの組み合わせを含んでもよい。直列に（および／または並列に）接続される検出区域を含む実施形態では、試料の複数の構成要素は、チャネルの検出区域のそれぞれにおいて個別に検査することができる。検出区域は、用途に応じて異なる構成を有してもよい。例えば、検出区域は、以下でさらに詳細に説明されるように、貯蔵部（支柱の配列によって支持されてもよい）または蛇行チャネル領域の形であってもよい。ある実施形態では、装置は、複数の（例えば、少なくとも２、４、６、８、１０、またはそれ以上）セクションを含み、各セクションは、化学および／または生物学的反応を受けることができる（または、陰性対照と同様に、試料の特定の構成要素に対して反応しなくてもよい）化学および／または生物学的種を備える。１つのセクション中の化学および／または生物学的種は、別のセクションの種と同じである（例えば、同じ種および濃度）か、または異なってもよい（例えば、異なる種および／または濃度）。
【０１４１】
信号定量化を単純化するために、各検出区域（例えば、蛇行チャネル領域）は、システムのマイクロ流体チャネルの断面寸法と比較して、比較的広い面積を有してもよい。例えば、検出区域は、０．１ｍｍ２以上、０．２ｍｍ２以上、０．４ｍｍ２以上、０．６ｍｍ２以上、０．８ｍｍ２以上、または１ｃｍ２以上の面積を有してもよい。面積は、例えば、０．１ｍｍ２から０．３ｍｍ２の間、０．２ｍｍ２から０．４ｍｍ２の間、０．４ｍｍ２から０．６ｍｍ２の間、または０．５ｍｍ２から１ｃｍ２の間であってもよい。検出区域の異なる割合が、光学的検出経路を備えてもよい。例えば、検出区域の面積の少なくとも２０％、少なくとも４０％、少なくとも５０％、少なくとも６０％、または少なくとも８０％が、光学的検出経路を備えてもよい。検出区域が及ぶ面積は、各軸に沿った検出区域の最外点によって制約される長方形の面積によって画定されてもよい。検出区域で発出される信号は、広い面積にわたって均一に広げられてもよく、したがって、光学的読み出し装置の整列を単純化する。
【０１４２】
図１７Ａ−１７Ｃに図示される実施形態に示されるように、装置１０００は、いくつかの検出区域１０１２、１０１４、１０１６、および１０１８を有する、反応域１０１０を含んでもよい。これらの検出区域のそれぞれは、それぞれ、蛇行領域１０１２−Ａ、１０１４−Ａ、１０１６−Ａ、および１０１８−Ａの形であってもよい（図１４Ｂ）。蛇行領域は、いくつかのチャネル区分１０２４を含む。蛇行領域は、マイクロ流体チャネル１０２０を介して、相互に接続することができる（すなわち、相互に流体連通している）。例えば、矢印１０２８の方向に、チャネル１０２０の中を流れる流体は、連続的に蛇行領域を通って流れることができる。
【０１４３】
本明細書で説明されるように、各蛇行領域中の蛇行チャネルの表面は、特定の用途のために、（例えば、格納した試薬の形の）１つ以上の生体分子で修飾することができる。オンチップ品質管理を提供するために、蛇行領域１０１８−Ａは、検定の陰性基準を提供するように、ＢＳＡまたはＴｗｅｅｎ  ２０等のブロッキング溶液で修飾することができる。同様に、蛇行領域１０１２−Ａは、陽性対照で修飾することができる。これらの標準の選択は、成功した検定の完了後に、陰性標準が信号を示さず（または非常に弱い背景信号を示す）、陽性信号が明確な信号を示すようなものであってもよい。一般に、各蛇行領域中に固定化される試薬／生体分子の選択は、行われる特定の検査によって管理することができる。例えば、血清中の総ヒトＩｇＧの測定のために、抗ヒト抗体を蛇行領域１０１４−Ａおよび１０１６−Ａで物理吸着することができる。
【０１４４】
図１７Ｃは、蛇行領域で化学および／または生物学的反応を行った後の蛇行領域を示す、概略図である。陰性対照として使用される蛇行領域１０１８−Ｂは、弱い信号を有し、薄い灰色に見える。試料の構成要素を判定するために使用することができる、物理吸着し約を含んだ蛇行領域１０１４−Ｂおよび１０１６−Ｂは、検出可能な信号（例えば、灰色の被膜）を含んでもよい。陽性対照として使用される蛇行領域１０１８−Ｂは、強い信号（例えば、黒い被膜）を含んでもよい。
【０１４５】
図１７Ａ−１７Ｃは、本明細書で説明されるマイクロ流体装置において行うことができる、多重検定の一例を示す。他の実施形態では、試料の付加的な構成要素の検出を可能にするように、付加的な蛇行領域（直列および／または並列に接続されてもよい、５、８、１０、１５、または２０以上の蛇行領域）を装置上に含むことができる。
【０１４６】
検出区域（例えば、蛇行領域）で化学および／または生物学的反応を行った後、信号が検出区域に現れてもよい。信号の種類および強度は、標識の選択および／または使用される増幅化学反応に依存してもよい。一実施形態では、その全体で参照することにより本明細書に組み込まれる、２００４年１２月２０日出願の「Ａｓｓａｙ  Ｄｅｖｉｃｅ  ａｎｄ  Ｍｅｔｈｏｄ」と題された国際特許公報第ＷＯ２００５／０６６６１３号（国際特許出願第ＰＣＴ／ＵＳ２００４／０４３５８５号）で説明されているもの等の、単純な検出器によって検出することができる信号を発出するために、銀強化化学反応を使用することができる。
【０１４７】
２つ以上の化学および／または生物学的反応（例えば、多重検定）が装置上で行われる時、各検出区域にわたって検出器を移動させることによって、信号取得を実行することができる。代替的なアプローチでは、単一の検出器が、検出区域のそれぞれで信号を同時に検出することができる。一実施形態では、分析器が、例えば、多数の並列光学センサ／検出器を含むことができ、それぞれ、検出区域と整列し、読取機の電子機器に接続される（例えば、図１８Ａおよび１８Ｂ）。図１８Ａおよび１８Ｂは、静止時（図１８Ａ）および測定中（図１８Ｂ）の光学システム１０５０を図示する。図１８Ａに図示される実施形態に示されるように、光学システム１０５０は、検出区域１０６２、１０６４、および１０６６を含む検出域１０６０を有する、装置１０５４を含む。光学装置はまた、光源１０７２、１０７４、および１０７６の配列を備える部品１０７０、ならびに、検出器１０８２、１０８４、および１０８６の配列を備える部品１０８０も含む。いくつかの実施形態では、部品１０７０および１０８０は、分析器を形成するように組み合わせられる。光源および検出器は、装置の検出区域と整列してもよい。測定中、光学光源１０７２、検出区域１０６２、および検出器１０８２の間の光学経路１０９２は、検出区域中の信号の判定を可能にする。並列光学経路１０９４および１０９６は、それぞれ、検出区域１０６４および１０６６中の信号の同時判定を可能にすることができる。
【０１４８】
分析器の内部は、システムの各光学経路間の干渉なしで、全検出区域中の同時読み出し（例えば、信号の検出または判定）を可能にするように設計することができる。例えば、図１９に図示される実施形態では、システム１１００は、相互および検出区域１０６２と整列した光源１０７２および検出器１０８２を含む。加えて、光源１０７４は、検出区域１０６４および検出器１０８４と整列することができ、光源１０７６は、検出区域１０６６および検出器１０８６と整列することができる。光源および検出器は、制御ユニット１０９８（例えば、マイクロプロセッサ）と電気連通していてもよい。いくつかの実施形態では、１つ以上の光学フィルタを、検出器と検出区域との間に配置することができる。加えて、および／または代替として、各検出器は、光の異なる波長をフィルタにかけるための電子フィルタを含んでもよい。光学経路間のクロストークをさらに低減するために、各光源からの光を、各光学経路について異なる周波数で変調することができる。つまり、光学経路１０９２、１０９４、および１０９６は、それぞれ、異なる波長の光を含んでもよい。光源１０７２によって生成される電子信号は、例えば、電子フィルタを使用することによって、隣接する光源１０７４および１０７６から発生する雑音信号と区別することができる。異なるアプローチでは、読み出しは、隣接する光源から発生する雑音信号を連続的に回避するように行うことができる。各検出区域に光源・検出器ペアを使用することは、光学構成要素が比較的単純および／または安価である時に有利であってもよい。
【０１４９】
いくつかの実施形態では、１つ以上の光学構成要素は、検出区域間で共有することができる。例えば、図２０に図示される実施形態では、システム１１２０は、相互および検出区域１０６２と整列する、検出器１０７２および光学要素１１２２（例えば、光ファイバ等の収集光学素子）を含む。同様に、システムは、検出区域１０６４と整列する検出器１０７４および光学要素１１２４、ならびに検出区域１０６６と整列する検出器１０７６および光学要素１１２６を含む。光学要素は全て、光学スイッチ１１３０と、アバランシェフォトダイオードまたは光電子増倍管等の共通光検出器１１３２とに、接続されてもよい。共通検出器は、検出区域のそれぞれで信号を検出する（例えば、連続的に）ために使用されてもよい。各検出区域からの光は、各検出区域の下で整列することができる光学要素によって収集することができる。
【０１５０】
種々の判定（例えば、測定、定量化、検出、および適格化）技術が使用されてもよい。判定技術は、光透過率、光吸収度、光散乱、光反射、および視覚技術等の光学を用いた技術を含んでもよい。判定技術はまた、フォトルミネセンス（例えば、蛍光発光）、化学発光、生物発光、および／または電気化学発光等の発光技術を含んでもよい。当業者であれば、使用される判定技術に従ってマイクロ流体装置を修正する方法を知っている。例えば、判定に使用される化学発光種を含む装置については、不透明および／または暗い背景が好まれてもよい。金属コロイドを使用する判定については、透明な背景が好まれてもよい。さらに、任意の好適な検出器が、本明細書で説明される装置とともに使用されてもよい。例えば、単純化した光学検出器、ならびに従来の分光光度計および光学読取機（例えば、９６ウェル読取機）を使用することができる。
【０１５１】
いくつかの実施形態では、判定技術は、伝導度を測定してもよい。例えば、伝導性材料、例えば、無電解沈積金属の沈積を測定するために、マイクロ流体チャネルの一部分の対向端に設置される微小電極が使用されてもよい。より多数の金属の個別粒子が成長し、相互に接触するにつれて、伝導度は増加し、該部分上に沈積された導体材料、例えば金属の量の指示を提供してもよい。したがって、伝導度および抵抗は、被分析物濃度の定量的尺度として使用されてもよい。
【０１５２】
別の分析技術は、前駆体がチャネルから退出するまで前駆体がマイクロ流体チャネルに進入する時間から、前駆体の変化する濃度を測定するステップを含んでもよい。例えば、銀塩溶液が使用される場合（例えば、硝酸塩、乳酸塩、クエン酸塩、または酢酸塩）、銀感受性電極は、前駆体がチャネルを通過する際のチャネル中の銀の沈積による、銀濃度の損失を測定することが可能であってもよい。
【０１５３】
異なる光学検出技術は、反応（例えば、検定）結果を判定するための多数の選択肢を提供する。いくつかの実施形態では、透過率または吸光度の測定は、光源から発光されるのと同じ波長で光を検出できることを意味する。光源は、単一の波長で発光する狭帯域光源となり得るが、また、多くの不透明材料が広範囲の波長を効果的に遮断することができるため、一連の波長にわたって発光する、広帯域光源であってもよい。システムは、光学装置（例えば、単純化した光学検出器）を最小限に抑えて操作されてもよい。例えば、判定装置は、光電子増倍管を含まなくてもよく、回折格子、プリズム、またはフィルタ等の波長選択器を含まなくてもよく、カラムネータ等の光を方向付けるか、またはカラム化するための装置を含まなくてもよく、または拡大光学素子（例えば、レンズ）を含まなくてもよい。これらの特徴の排除または削減は、あまり効果ではなく、より頑丈な装置をもたらすことができる。
【０１５４】
一実施形態では、光源は、例えば、１，０００Ｈｚの周波数においてパルス変調することができる。パルス変調した光源に一致するために、検出器は、同じ周波数において動作するフィルタを含んでもよい。パルス変調した光源を使用することによって、システムは外因性光源に対して感受性が低くなり得ることが分かっている。したがって、検定は、既存の技術を使用することが実用的ではなくなる場合がある、白昼を含む種々の光条件下で、実行してもよい。実験結果は、パルス変調した光源およびフィルタを使用することによって、試験が実行される光条件にかかわらず、結果が一貫していることを示す。
【０１５５】
光源は、ＬＥＤ（発光ダイオード）またはレーザダイオードであってもよい。例えば、６５４ｎｍで発光する、ＩｎＧａＡｌＰ赤色半導体レーザダイオードが使用されてもよい。光検出器は、光源によって発光される光の透過を検出することが可能な、任意の装置であってもよい。光検出器の一種は、７００ｎｍにおいてピーク感度を有するフォトダイオードと、増幅器と、電圧調節器とを含む、光集積回路（ＩＣ）である。光源がパルス変調される場合、光検出器は、選択した周波数ではない光の効果を除去するように、フィルタを含んでもよい。複数および隣接する信号が同時に検出されると、各検出区域に使用される光源は、その隣接する光源の周波数とは十分に異なる周波数において変調することができる。この構成では、検出器は、（その属性光源と比較して）一致する熱さのフィルタと調和し、それにより、隣接する光学ペアからの干渉光を回避することができる。
【０１５６】
本明細書で説明されるように、反応域の蛇行チャネルは、整列時に蛇行チャネルの２つ以上の隣接区分を通して、検出器が単一信号を測定することができるように、検出器と整列するように構成および配設されてもよい。いくつかの実施形態では、検出器は、蛇行チャネルの第１の区分から測定される信号の第１の部分が、蛇行チャネルの第２の区分から測定される信号の第２の部分と同様となるように、蛇行チャネルの領域の少なくとも一部分内で、および蛇行チャネルの２つ以上の区分を通して、信号を検出することが可能である。そのような実施形態では、信号が蛇行チャネルの２つ以上の区分の一部として存在するため、検出器と検出区域との間の的確な整列の必要性がない。
【０１５７】
精度の必要性がない、検出区域（例えば、蛇行領域）を覆う検出器の位置決めは、顕微鏡、レンズ、および整列台等の外部（場合により高価な）機器が必要とされないため（しかし、ある実施形態では使用されてもよい）、有利である。その代わり、整列は、目測で、またはユーザによる整列ステップを必要としない低コスト方法によって、行うことができる。一実施形態では、蛇行領域を備える装置は、単純なホルダの中（例えば、装置と同じ形状を有する空洞の中）に設置することができ、測定域は、検出器の光線の中に自動的に配置することができる。例えば、個々のチップの変動、ホルダの中のチップの正確な場所、および装置の正常な使用法によって引き起こされる、不整列の考えられる原因は、測定域の寸法と比較して、ごくわずかである。結果として、蛇行領域は、光線内にとどまることができ、検出は、これらの変動によって中断されない。
【０１５８】
検出器は、検出区域（例えば、蛇行領域を含む）の全体または一部分内で信号を検出してもよい。換言すれば、蛇行領域の異なる量が光学検出経路として使用されてもよい。例えば、検出器は、検出区域の少なくとも１５％内、検出区域の少なくとも２０％、検出区域の少なくとも２５％、検出区域の少なくとも５０％内、または検出区域の少なくとも７５％（しかし検出区域の１００％未満）内で信号を検出してもよい。場合によっては、検出区域の１００％が、検出器による検出（例えば、肉眼による透明チャネル中の検出）に使用される。検出区域が光学検出経路として使用される面積はまた、例えば、チャネルが加工される材料の不透明性（例えば、チャネルの全体または一部分が透明であるかどうか）、チャネルの一部分を覆ってもよい（例えば、保護カバーの使用を介する）不透明材料の量、および／または検出器および検出区域のサイズに依存してもよい。
【０１５９】
一実施形態では、反応によって発出される信号は、検出区域全体にわたって（例えば、蛇行チャネル領域全体にわたって）均一である。つまり、検出区域（例えば、蛇行チャネル領域）は、化学および／または生物学的反応を実行する際に（および、例えば、検出器による検出時に）、該領域中で単一の均一信号の発出および／または検出を可能にしてもよい。蛇行チャネル領域で反応を実行する前に、蛇行チャネルは、例えば、検出／判定される単一種（および種の濃度）を含んでもよい。種は、蛇行チャネルの表面に吸収されてもよい。一実施形態では、信号は、蛇行領域の各部分のみにわたって均一であってもよく、１つ以上の検出器該部分のそれぞれの内側で異なる信号を検出してもよい。ある場合においては、２つ以上の検出区域を直列に接続することができ、各検出区域は、異なる種を検出／判定するために使用することができる。
【０１６０】
いくつかの実施形態では、化学および／または生物学的反応は、結合を伴う。異なる種類の結合が、本明細書で説明される装置で発生してもよい。「結合」という用語は、生化学、生理学、および／または薬学的相互作用を含む、相互親和性または結合能力を示す、分子の対応するペア間の相互作用、典型的には、得意的または非特異的結合または相互作用を指す。生物学的結合は、タンパク質、拡散、糖タンパク質、炭水化物、ホルモン、および同等物を含む、分子のペア間で発生する相互作用の種類を定義する。具体例は、抗体／抗原、抗体／ハプテン、酵素／基板、酵素／阻害物質、酵素／補助因子、結合タンパク質／基質、担体タンパク質／基質、レクチン／炭水化物、受容体／ホルモン、受容体／エフェクタ、核酸の相補鎖、タンパク質／核酸抑制物質／誘導物質、リガンド／細胞表面受容体、ウイルス／リガンド等を含む。
【０１６１】
場合によっては、不均一反応（または検定）がチャネル中で発生してもよい。例えば、結合パートナーは、チャネルの表面と関連してもよく、相補的結合パートナーは、流体相で存在してもよい。「結合パートナー」という用語は、特定の分子との結合を受けることができる分子を指す。生物学的結合パートナーが例であり、例えば、タンパク質Ａは、生体分子ＩｇＧの結合パートナーであり、その逆もまた同様である。同様に、抗体は、その光源の結合パートナーであり、その逆もまた同様である。他の場合においては、均一反応がチャネル中で発生してもよい。例えば、両方の結合パートナーが流体相で（例えば、２流体層流系統で）存在することができる。蛇行チャネルシステムで行うことができる、典型的な反応の非限定的な例は、化学反応、酵素反応、免疫に基づいた反応（例えば、抗原・抗体）、および細胞に基づいた反応を含む。
【０１６２】
本発明の一実施形態では、特定の臨床検査を行うために開発されたマイクロ流体装置は、検査特有の情報（例えば、検査名、バッチ特有データ、および有効期限）で標識化される。試料導入構成要素等の、システムの１つ以上の構成要素は、患者特有の情報で印付けられる（例えば、物理的または電子的に）ように設計される。マイクロ流体装置（例えば、任意的に他の（例えば、電子）構成要素と接続した、マイクロ流体基板）への試料導入構成要素の取付け時に、患者の情報は、装置および装置上で行われる特定の検査に結び付けることができる。場合によっては、例えば、使い捨てマイクロ流体装置（例えば、上記のようなジップタイまたはスナップ式機構）への試料導入構成要素の恒久的な取付けを伴う、ある実施形態については、２組の情報（試料導入構成要素からの情報およびマイクロ流体装置からの情報）を分離することができない。このことは、マイクロ流体装置上に患者の情報を追加するための安全な方法を提供することができる。例えば、一実施形態では、マイクロ流体装置は、検査特有の情報（例えば、検査名、検査較正のためのデータ、バッチ名および番号）で標識化され、試料導入構成要素は、患者の身元を指すコード（例えば、バーコード）を含有する標準サイズのステッカーを収容することができる表面を含む。
【０１６３】
いくつかの実施形態では、本発明のシステムは、マイクロ流体であってもよいが、ある実施形態では、本発明は、マイクロ流体システムに限定されず、他の種類の流体システムに関してもよい。本明細書で使用されるような、「マイクロ流体」とは、１ｍｍ未満の断面寸法および少なくとも３：１の長さ対最大断面寸法の比を有する、少なくとも１つの流体チャネルを含む、装置、装置、またはシステムを指す。本明細書で使用されるような、「マイクロ流体チャネル」とは、これらの基準を満たすチャネルである。
【０１６４】
チャネルの「断面寸法」（例えば、直径）は、流体流動の方向と垂直に測定される。本発明の構成要素中のほとんどの流体チャネルは、２ｍｍ未満、場合によっては１ｍｍ未満の最大断面寸法を有する。１組の実施形態では、本発明の実施形態を含有する全ての流体チャネルは、マイクロ流体的であるか、またはわずか２ｍｍまたは１ｍｍの最大断面寸法を有する。別の組の実施形態では、本発明の実施形態を含有するチャネルの最大断面寸法は、５００ミクロン未満、２００ミクロン未満、１００ミクロン未満、５０ミクロン未満、または２５ミクロン未満である。場合によっては、チャネルの寸法は、流体が部品または基剤を通って自由に流れることが可能となるように選択されてもよい。チャネルの寸法もまた、例えば、チャネル中の流体のある体積または直線流速を可能にするように、選択されてもよい。当然ながら、チャネルの数およびチャネルの形状は、当業者に公知の任意の方法によって変動させることができる。場合によっては、２つ以上のチャネルまたは毛細管が使用されてもよい。
【０１６５】
本明細書で使用されるような、「チャネル」とは、流体の流動を少なくとも部分的に方向付ける、部品（基板）の上または中の特徴を意味する。チャネルは、任意の断面形状（円形、楕円形、三角形、不整形、正方形、長方形、または同等物）を有することができ、覆われた状態または覆われていない状態にすることができる。完全に覆われている実施形態では、チャネルの少なくとも１つの部分が、完全に封入された断面を有することができ、または、チャネル全体が、その入口および出口を除く全長に沿って完全に封入されてもよい。チャネルはまた、少なくとも２：１、さらに典型的には、少なくとも３：１、５：１、または１０：１以上のアスペクト比（長さ対平均断面寸法）を有してもよい。開放チャネルは、概して、流体輸送の制御を促進する特性、例えば、構造的構成（細長いくぼみ）および／または物理的または化学的特性（疎水性対親水性）、または流体に力（例えば、含有力）を及ぼすことができる他の特性を含む。チャネル内の流体は、チャネルを部分的または完全に充填してもよい。開放チャネルが使用される場合によっては、流体は、例えば、表面張力（例えば、凹面または凸面メニスカス）を使用して、チャネル内で担持されてもよい。
【０１６６】
マイクロ流体基板は、マイクロチャネルを形成するために好適な任意の材料で加工することができる。材料の非限定的な例は、ポリマー（例えば、ポリエチレン、ポリスチレン、ポリカーボネート、ポリ（ジメチルシロキサン）、およびシクロオレフィン共重合体（ＣＯＣ））、ガラス、石英、およびシリコンを含む。当業者であれば、例えば、その剛性、それを通過させられる流体に対するその不活性（例えば、流体による分解が存在しない）、特定の装置が使用される温度におけるその頑丈性、および／または光に対するその透明性／不透明性（例えば、紫外および可視領域中）に基づいて、好適な材料を容易に選択することができる。いくつかの実施形態では、基板の材料および寸法（例えば、厚さ）は、基板が水蒸気に対して略不透過性となるように選択される。
【０１６７】
場合によっては、マイクロ流体基板は、上記に記載されるもの等の２つ以上の材料の組み合わせからなる。例えば、装置のチャネルは、第１の材料（例えば、ポリ（ジメチルシロキサン））、に形成されてもよく、第２の材料（例えば、ポリスチレン）に形成されるカバーが、チャネルを密閉するために使用されてもよい。一実施形態では、装置のチャネルは、ポリスチレンまたは他のポリマーに形成されてもよく（例えば、射出成形によって）、生体適合性テープが、チャネルを密閉するために使用されてもよい。マイクロ流体チャネルまたはチャネルの各部分を密閉するために、接着剤の使用、糊付け、結合、または機械的方法（例えば、締め付け）によるものを含むが、それらに限定されない、種々の方法を使用することができる。
【０１６８】
以下の例は、本発明のある実施形態を例示することを目的とするが、限定的として解釈されるものではなく、本発明の全範囲を例示するわけではない。
【実施例】
【０１６９】
（実施例１）
（基板におけるマイクロ流体チャネルの加工）
マイクロ流体チャネルシステムを加工するための方法を説明する。
【０１７０】
チャネルシステムのレイアウトを、コンピュータ支援設計（ＣＡＤ）プログラムで設計し、図３および４に図示する。ＳＵ８フォトレジスト（ＭｉｃｒｏＣｈｅｍ，Ｎｅｗｔｏｎ，ＭＡ）に作られたマスタを使用するラピッドプロトタイピングによって、マイクロ流体装置を、ポリ（ジメチルシロキサン）Ｓｙｌｇａｒｄ  １８４（ＰＤＭＳ，Ｄｏｗ  Ｃｏｒｎｉｎｇ，Ｄｉｓｔｒｅｌｅｃ，Ｓｗｉｔｚｅｒｌａｎｄ）に形成した。マスタは、シリコンウエハ上で生産し、ＰＤＭＳに陰性パターンを複製するために使用した。マスタは、免疫学的検定域中のチャネルを画定する約５０μｍの厚さ（高さ）を伴う１つのレベル、および試薬格納および廃棄物域を画定する約２５０μｍの第２の厚さ（高さ）といった、２つのレベルのＳＵ８を含有した。マスタは、（トリデカフルオロ−１，１，２，２−テトラヒドロオクチル）トリクロロシラン（ＡＢＣ−Ｒ，Ｇｅｒｍａｎｙ）でシラン化した。ＰＤＭＳは、製造業者の指示に従って混合し、マスタ上に注いだ。重合化（４時間、６５°）後、ＰＤＭＳの複製をマスタから剥がし、尖らせた刃を伴う黄銅管（直径１．５ｍｍ）を使用してＰＤＭＳからアクセスポートを打ち抜いた。流体ネットワークを完成させるために、スライドガラス、シリコンウエハ、ポリスチレン表面、ＰＤＭＳの平坦スラブ、または接着テープ等の、平坦な基板をカバーとして使用し、ＰＤＭＳ表面に対して設置した。カバーは、ファン・デル・ワールス力によって適所に担持するか、または接着剤を使用してＰＤＭＳに固定した。
【０１７１】
他の実施形態では、射出成形によってマイクロ流体チャネルをポリスチレンに作製した。この方法は、当業者に公知である。
【０１７２】
（実施例２）
（マイクロ流体システムに試薬を格納するステップ）
この実施例は、マイクロ流体システムに乾燥および液体試薬を格納するための方法を説明する。
【０１７３】
乾燥および湿潤試薬を、図３−５および１４に示されるマイクロ流体システムに格納した。乾燥試薬を格納するために、生体分子の滴を基板の検出区域上に設置した。３０分後、溶液を除去し、タンパク質で修飾された基板の表面を緩衝剤で洗い流した。表面を圧縮窒素で２０秒間乾燥させ、次いで、基板をカバーに対して密閉した。カバーは、ポリスチレンの板（ＰＤＭＳ基板の場合）（ＮＵＮＣ  Ｏｍｎｉｔｒａｙ，ＶＷＲ，Ｓｗｉｔｚｅｒｌａｎｄ）または生体適合性接着剤（ポリスチレン基板の場合）のいずれかであった。生体適合性接着剤を使用した時、カバーの適用前にアクセス穴を取得するように、ポリスチレン基板にドリルで穴を開けた。異なるアプローチでは、射出成形機の空洞の内側の支柱を使用することによって、射出成形プロセス中に、熱可塑性物質に穴を形成した。マイクロ流体チャネルの表面を親水性にするように、および表面を遮断してマイクロチャネルの壁上のタンパク質の非特異的吸収を回避するように、試薬格納および免疫学的検定域のマイクロチャネルを含む、マイクロチャネルの全てを、ブロックング緩衝剤（Ｔｗｅｅｎ  ２０および／またはリン酸緩衝生理食塩水（ＰＢＳ）中のＢＳＡ）で充填した。ブロッキング溶液は、吸引によって除去し、装置は、真空下で室温にて乾燥させた。
【０１７４】
マイクロ流体システムに湿潤試薬を格納するために、免疫学的検定用の試薬を、最初に別個の容器（例えば、９６ウェルプレートのウェル、または遠心分離管）の中で調製した。管の後部に接続された手動操作型注射器により、二次管（０．２ｍｍの内径を伴うポリエチレン）の中へ、連続的液体栓の間の空気スペーサが後に続く液体栓として、試薬を連続的に吸引した。
【０１７５】
管の出口ポートをチャネルの入口の中へ接続することによって、試薬をマイクロ流体システム（実施例１で説明される方法によって加工された）の試薬格納域のチャネルに格納した。流体は、毛細管力によって、チャネルの出口に陰圧（例えば、真空）を適用することによって、または（注射器プランジャを使用して）管の入口に陽圧を適用することによって、管からチャネルへ流れた。試薬は、チャネルの試薬格納域中に存在した。
【０１７６】
次いで、入口および出口を覆って生体適合性接着剤を設置することによって、チャネルの入口および出口を密閉した。ポリスチレン基板の場合、カバーで修飾された表面とは反対の表面上に、この第２のテープを適用した。この密閉は、大気条件による分解／変性から格納した試薬を保護した。
【０１７７】
試薬は、定量免疫学的検定での試薬の使用によって検査されるように、分解／変性なしで３ヶ月間マイクロ流体チャネルに格納された。この実施例は、乾燥および液体試薬（タンパク質を含む）の両方を、マイクロ流体チャネルに長期間格納できることを示す。
【０１７８】
（実施例３）
（開放端毛細管を使用して試料を搭載することより免疫学的検定を行うステップ）
この実施例は、開放端毛細管を使用して試料を搭載し、マイクロ流体基板上に格納された試薬を使用することによって、免疫学的検定を行うことができることを示す。
【０１７９】
実施例１で説明される方法を使用して、図７のマイクロ流体システムを加工した。このシステムは、試薬格納域、試料搭載域、免疫学的検定、および廃棄物域といった、４つのセクションを含んだ。実施例２で説明される方法を使用して、抗体溶液、洗浄緩衝剤、および増幅試薬（酵素基質または銀増幅試薬のいずれか）といった、白血球中の総ヒトＩｇＧの検出のための免疫学的検定を行うために必要とされる試薬で、試薬格納域を事前に充填した。これらの試薬は、空隙によって相互から分離された一連の液体栓として搭載された、使用の準備ができた水溶液として提示された。
【０１８０】
ドナーからの血液の試料を取得し、毛細管力によって（または、他の実験では、管の他方の端に適用された陰圧を使用して、毛細管に試料を吸引することによって）試料を毛細管（例えば、図８Ａに示されるような）の中へ搭載した。毛細管の出口を基板の試料搭載ポートに嵌合し、プランジャで毛細管の端に向かって管内のフリットを除去することによって、試料をマイクロ流体システムに導入した。マイクロ流体基板の試薬入口が以前に密閉されていたため、試料の流動は、自動的に、通気された装置の出口に向かって、マイクロ流体チャネルの内側で方向付けられた。毛細管は適所に残され、フリット（試料で濡れている）は気密シールの役割を果たした。
【０１８１】
基板に試料を導入した後、入口および出口ポートを覆うシールを除去した。システムの出口における真空の適用は、試薬格納域内の内側に並ぶ試薬の順番によって事前定義された順序にしたがって、免疫学的検定域への試料および試薬の送達をもたらした。免疫学的検定域から退出する全ての流体は、最終的に廃棄物域の内側に閉じ込められた。検定の完了後、標的被分析物に特有の信号が、免疫学的検定域で観察可能であった。
【０１８２】
（実施例４）
（流体コネクタを使用して試料を搭載することにより免疫学的検定を行うステップ）
この実施例は、流体コネクタを使用して試料を搭載し、マイクロ流体基板上に格納された試薬を使用することによって、免疫学的検定を行うことができることを示す。
【０１８３】
実施例１で説明される方法を使用して、図５のマイクロ流体システムを加工した。装置３００は、格納した湿潤試薬を含有するセクション３０２と、格納した乾燥試薬を含有するセクション３５０とを含む。図２で説明される方法を使用して、免疫学的検定域３６０を物理吸着分子で事前加工した。免疫学的検定域は、Ｔｗｅｅｎでパターン化された（ＰＢＳ中のＴｗｅｅｎの溶液を使用する）第１の検出区域３６２と、抗ヒトＩｇＧでパターン化された（ＰＢＳ中の抗ヒトＩｇＧの溶液を使用する）第２および第３の検出区域３６４および３６６と、パターン化したヒトＩｇＧを含む（ＰＢＳ中のヒトＩｇＧの溶液を使用する）第４の検出区域３６８とを含んだ。
【０１８４】
試薬格納域３０４を、白血球中の総ヒトＩｇＧの検出のための免疫学的検定を行うために必要とされる試薬で事前に充填した（実施例２で説明される方法を使用して）。試薬は、一連の液体栓の形で充填され、液体栓のそれぞれは、気体スペーサによって分離された。試薬格納域の下部分３０６の中の試薬は、（免疫学的検定域への導入の順番で）３つの緩衝洗浄剤、金コロイドで標識化された抗ヒトＩｇＧの１つの栓、３つの緩衝洗浄剤、および６つの水洗浄剤であった。試薬格納域の上部分３０５は、増幅溶液として使用される、無電解銀沈積用の溶液を含有した。これらの溶液は、チャネル３０８に格納された銀塩と、チャネル３０９に格納されたヒドロキノンとを含んだ。これらの溶液は、使用前に別々にしておいた。図５Ａでは、以前に密閉されていた入口３５４および出口３１８が、この段階では非密閉であった。
【０１８５】
健常ドナーからの静脈血の試料を取得し、毛細管力によって（または、他の実験では、管の他方の端に適用された陰圧を使用して、毛細管に試料を吸引することによって）試料を流体コネクタの中へ搭載した。適切な長さの毛細管を選択すること（および毛細管の内部体積を知ること）によって、流体コネクタを既知の所定量の試料（１５μＬ）で充填した。（この試料の体積は、真空源が−１５ｋＰａに設定された後に、試料培養を１０分間持続するのに十分であった。）流体コネクタの一方の端が試薬格納域の出口３１８に嵌入し、他方の端が免疫学的検定域に至る入口３５４に嵌入するように、流体コネクタを屈曲させた（図５Ｂ参照）。流体コネクタは、セクション３０２と３５０との間の流体接続を可能にした。図５Ａでは、以前に密閉されていた入口３１６および３１７ならびに出口３５６が、この段階では非密閉であった。
【０１８６】
システムの出口３５６における真空源３９０（−１５ｋＰａ）の適用が、検定を開始した。試料は、検出区域３６２、３６４、３６６、および３６８を含む、免疫学的検定に進入し（図５Ｃ）、セクション３０２からの格納した試薬が後に続く（図５Ｄ）。セクション３０２からの格納した試薬は、反応域中のあらゆる残留非結合試料を洗い流した（図５Ｄ）洗浄試薬（例えば、緩衝剤）、ならびに、抗体溶液および増幅試薬を含んだ。
【０１８７】
検定の完了後、関心の被分析物に特有の光信号（金属銀の灰色がかかった被膜）が、免疫学的検定域の検出区域３６４、３６６、および３６８で観察可能であった（図５Ｅ）。上記のような検出区域中の一連の物理吸着生体分子を使用して、検定の終了時に以下の結果が観察された。１）Ｔｗｅｅｎ（タンパク質の接着を防止することが知られている洗剤）で修飾された検出区域が内部陰性基準の役割を果たすため、この検出区域には信号がない（検出区域３６２）、２）試料からのヒトＩｇＧの結合を反映する、抗ヒトＩｇＧで修飾された検出区域中の濃度依存性信号（検出区域３６４および３６６）、および３）内部陽性基準の役割を果たす、ヒトＩｇＧで修飾された検出区域中の一定信号（検出区域３６８）。これらの観察が予期された。
【０１８８】
図５Ｆに示されるように、流体コネクタおよび真空源の除去後、信号は、装置の免疫学的検定域で永久に結合されたまま残り、直接観察し、データ記憶のために使用することができた。
【０１８９】
この実施例は、全血の試料中の総ヒトＩｇＧを検出するために、試料を含有する流体コネクタによって接続される、その中に含有された格納した試薬を有するマイクロ流体システムを使用できることを実証する。
【０１９０】
本発明のいくつかの実施形態を本明細書で説明および例示したが、当業者であれば、機能を行うため、および／または、結果および／または本明細書で説明される利点のうちの１つ以上を取得するための、種々の他の手段および／または構造を容易に想定し、そのような変化例および／または修正のそれぞれは、本発明の範囲内であると見なされる。さらに概して、当業者であれば、本明細書で説明される全てのパラメータ、寸法、材料、および構成は、例示的となるように意図されており、実際のパラメータ、寸法、材料、および／または構成は、本発明の教示が使用される１つまたは複数の特定の用途に依存することを容易に理解するであろう。当業者であれば、日常的な程度にすぎない実験を使用して、本明細書で説明される本発明の具体的実施形態の多くの同等物を認識するか、または確認することが可能となるであろう。したがって、前述の実施形態は、一例のみとして提示され、添付の請求項およびその同等物の範囲内で、本発明が、具体的に説明および請求されるのとは他の方法で実践されてもよいことを理解されたい。本発明は、本明細書で説明される、各個別特徴、システム、部品、材料、キット、および／または方法を対象とする。加えて、２つ以上のそのような特徴、システム、部品、材料、キット、および／または方法の任意の組み合わせは、そのような特徴、システム、部品、材料、キット、および／または方法が相互に非一貫性でなければ、本発明の範囲内に含まれる。
【０１９１】
本明細書で定義および使用されるような、全ての定義は、辞書の定義、参照することにより組み込まれる文書中の定義、および／または定義された用語の通常の意味を支配すると理解されたい。
【０１９２】
本明細書および請求項で使用されるような、「１つの」といった不定冠詞は、明確にそれとは反対に示されない限り、「少なくとも１つの」を意味すると理解されたい。
【０１９３】
また、明確にそれとは反対に示されない限り、２つ以上のステップおよび行為を含む、本明細書で請求される任意の方法において、方法のステップまたは行為の順番は、必ずしも方法のステップまたは行為が記載される順番に限定されないことも理解されたい。
【０１９４】
請求項中、ならびに上記の明細書中において、「備える」、「含む」、「持つ」、「有する」、「含有する」、「伴う」、「担持する」、「から構成される」、および同等物等の、全ての移行部は無制約であり、すなわち、「を含むが、それに限定されない」ことを意味すると理解されたい。「から成る」および「から本質的に成る」という移行部のみが、Ｕｎｉｔｅｄ  Ｓｔａｔｅｓ  Ｐａｔｅｎｔ  Ｏｆｆｉｃｅ  Ｍａｎｕａｌ  ｏｆ  Ｐａｔｅｎｔ  Ｅｘａｍｉｎｉｎｇ  Ｐｒｏｃｅｄｕｒｅｓ、Ｓｅｃｔｉｏｎ  ２１１１．０３において説明されているように、それぞれ制約的または半制約的な移行部となるものである。
本願発明は以下の態様を含む。
（態様１）
基板内に形成されるマイクロ流体システムであって、少なくとも１つの入口および１つの出口を含む、第１のマイクロ流体チャネルと、少なくとも１つの入口および１つの出口を含む、第２のマイクロ流体チャネルとを備える、マイクロ流体システムと、
流路入口および流路出口を含む流路を備える、該基板に接続することができる流体コネクタであって、接続時に、該流路入口は、該第１のマイクロ流体チャネルの該出口に接続することにより、該流路と該第１のマイクロ流体チャネルとの間の流体連通を可能にし、該流路出口は、該第２のマイクロ流体チャネルの該入口に接続することにより、該流路と該第２のマイクロ流体チャネルとの間の流体連通を可能にする、流体コネクタと
を備え、
該流路は、該基板への該流体コネクタの接続前に、自身の中に配置される試薬を含有し、
該マイクロ流体システムは、該システム内の流体の再循環なしで動作するように構成および配設される、装置。
（態様２）
前記第１および第２のマイクロ流体チャネルは、第１の使用前には、相互に流体連通しておらず、第１の使用時には、該第１および第２のマイクロ流体チャネルは、相互に流体連通させられる、態様１に記載の装置。
（態様３）
前記第１のマイクロ流体チャネルは、前記基板への前記流体コネクタの接続前に、自身の中に配置される第１の試薬を備える、態様１に記載の装置。
（態様４）
前記第１のマイクロ流体チャネルは、さらに、前記基板への前記流体コネクタの接続前に、自身の中に配置される第２の試薬を備える、態様３に記載の装置。
（態様５）
前記第１および第２の試薬は、該第１および第２の試薬と混合しない流体によって分離される流体試薬である、態様４に記載の装置。
（態様６）
前記第１および第２の試薬は、液体試薬であり、該第１および第２の試薬と混合しない前記流体は、気体である、態様５に記載の装置。
（態様７）
前記第２のマイクロ流体チャネルは、自身の中に配置される試薬を含有する、態様１に記載の装置。
（態様８）
前記第２のマイクロ流体チャネルの中の前記試薬は、第１の使用前に乾燥させられる、態様７に記載の装置。
（態様９）
前記第２のマイクロ流体チャネルの中の前記試薬は、該第２のマイクロ流体チャネルの表面に吸収される、態様７に記載の装置。
（態様１０）
前記装置はさらに、前記第１および第２のマイクロ流体チャネルを封入するよう前記基板に隣接して配置される、カバーを備える、態様１に記載の装置。
（態様１１）
前記カバーは、テープである、態様１０に記載の装置。
（態様１２）
前記第１および／または第２のマイクロ流体チャネルと流体連通している反応域をさらに備え、該反応域は、該反応域の中の化学および／または生物学的反応の検出を可能にする、態様１に記載の装置。
（態様１３）
前記反応域は、少なくとも１つの蛇行チャネル領域を備える、態様１２に記載の装置。
（態様１４）
前記反応域は、直列に接続される、少なくとも２つの蛇行チャネル領域を備える、態様１２に記載の装置。
（態様１５）
前記少なくとも２つの蛇行チャネル領域の各々は、化学および／または生物学的反応を受けることができる、化学および／または生物学的種を備える、態様１４に記載の装置。
（態様１６）
前記少なくとも２つの蛇行チャネル領域の各々は、該領域の中で化学および／または生物学的反応を実行する際に、該領域の各々の中での単一の均質な信号の検出を可能にする、態様１５に記載の装置。
（態様１７）
前記第１の蛇行チャネル領域と整列した第１の検出器をさらに備える、態様１３に記載の装置。
（態様１８）
前記第２の蛇行チャネル領域と整列した第２の検出器をさらに備える、態様１７に記載の装置。
（態様１９）
前記マイクロ流体システムは、２つより少ないチャネル交差を含む、態様１に記載の装置。
（態様２０）
前記マイクロ流体システムは、チャネル交差を全く含まない、態様１に記載の装置。
（態様２１）
前記流路は、第１の体積を有し、前記マイクロ流体システムへの前記流体コネクタの接続前に、該流路の中への該第１の体積より少ない制御された体積の流体の導入を可能にする、体積制御要素をさらに備える、態様１に記載の装置。
（態様２２）
出口に接続されることができる真空源をさらに備える、態様１に記載の装置。
（態様２３）
前記流体コネクタは、前記基板の特徴を補完する少なくとも１つの非流体特徴を備えることにより、接続時に該流体コネクタと該基板との間に非流体接続を形成する、態様１に記載の装置。
（態様２４）
前記流体コネクタは、前記基板の特徴を補完する少なくとも１つの特徴を備えることにより、該流体コネクタと該基板との間に不可逆的な接続を形成する、態様１に記載の装置。
（態様２５）
前記流体コネクタはさらに、生物学的実体から流体試料を受容することができる、試料採取要素を備える、態様１に記載の装置。
（態様２６）
前記流体コネクタは、前記生物学的実体から前記流路への流体の移動を可能にすることができる、態様２５に記載の装置。
（態様２７）
基板内に形成されるマイクロ流体システムであって、入口および出口を含む第１のマイクロ流体チャネルと、入口および出口を含む第２のマイクロ流体チャネルとを備える、マイクロ流体システムと、
流路入口および流路出口を含む流路を備える、該基板に接続することができる流体コネクタであって、接続時に、該流路入口は該第１のマイクロ流体チャネルの該出口に接続することにより、該流路出口は、該第２のマイクロ流体チャネルの該入口に接続する、流体コネクタと
を備え、該基板の特徴を補完する少なくとも１つの非流体特徴をさらに備えることにより、接続時に、該流体コネクタと該基板との間に非流体接続を形成する、装置。
（態様２８）
前記マイクロ流体システムは、前記システム中の流体の再循環なしで動作するように構成および配設される、態様２７に記載の装置。
（態様２９）
前記第１および第２のマイクロ流体チャネルは、第１の使用前に、相互に流体連通しておらず、第１の使用時に、該第１および第２のマイクロ流体チャネルは、相互に流体連通させられる、態様２７に記載の装置。
（態様３０）
基板に形成され、自身の中に配置される第１の試薬を含有する、第１のマイクロ流体チャネルと、
該基板に形成され、自身の中に配置される第２の試薬を含有する、第２のマイクロ流体チャネルと
を備え、該第１および第２のマイクロ流体チャネルは、第１の使用前には、相互に流体連通しておらず、第１の使用時には、該第１および第２のマイクロ流体チャネルは相互に流体連通させられる、装置。
（態様３１）
前記第１のマイクロ流体チャネルはさらに、第３の試薬を備え、前記第１および第３の試薬は、該試薬と混合しない流体によって分離される、態様３０に記載の装置。
（態様３２）
前記第２の試薬は、第１の使用前に乾燥させられる、態様３０に記載の装置。
（態様３３）
前記第１および第２のマイクロ流体チャネルは、第１の使用前に、相互に流体連通しておらず、第１の使用時に、該第１および第２のマイクロ流体チャネルは、相互に流体連通させられる、態様３０に記載の装置。
（態様３４）
基板に形成される第１のマイクロ流体チャネルの中に第１の試薬を配置することと、
該基板に形成される第２のマイクロ流体チャネルの中に第２の試薬を配置することであって、該第１および第２のマイクロ流体チャネルは、該配置することの間に相互に流体連通していない、ことと
該第１のマイクロ流体チャネルの中に該第１の試薬を格納するように、該第１のマイクロ流体チャネルの入口および／または出口を密閉することと、
該第２のマイクロ流体チャネルの中に該第２の試薬を格納するように、該第２のマイクロ流体チャネルの入口および／または出口を密閉することと
を含む、試薬を格納する方法。
（態様３５）
密閉する前に、前記第１のマイクロ流体チャネルは、自身の中に配置される第３の試薬を含有し、前記第１および第３の試薬は、該試薬と混合しない流体によって分離される、態様３４に記載の方法。
（態様３６）
前記第２の試薬は、前記第２のマイクロ流体チャネルの前記入口を密閉する前に乾燥させられる、態様３４に記載の方法。
（態様３７）
基板に形成され、第１の使用前に自身の中に配置される第１の試薬を含有する、第１のマイクロ流体チャネルを提供することと、
該基板に形成され、第１の使用前に自身の中に配置される第２の試薬を含有する、第２のマイクロ流体チャネルを提供することであって、
該第１および第２のマイクロ流体チャネルは、第１の使用前に、相互に流体連通しておらず、第１の使用時に、該第１および第２のマイクロ流体チャネルは、相互に流体連通させられる、ことと、
該第１および第２のマイクロ流体チャネルを相互に流体連通させることと
を含む、方法。
（態様３８）
前記流体連通させることは、前記第１と第２のマイクロ流体チャネルとの間の流路を接続することを含む、態様３７に記載の方法。
（態様３９）
前記流路は、自身の中に配置される試料を含有する、態様３８に記載の方法。
（態様４０）
前記試料は、流体試料である、態様３９に記載の方法。
（態様４１）
基板に形成されるマイクロ流体システムであって、入口および出口を含む、第１のマイクロ流体チャネルと、入口および出口を含む、第２のマイクロ流体チャネルとを備える、マイクロ流体システムと、
該基板に接続することができる流体コネクタであって、流路入口および流路出口を含む流路を備え、接続時に、該流路入口は、該第１のマイクロ流体チャネルの該出口に接続することにより、該流路と該第１のマイクロ流体チャネルとの間の流体連通を可能にし、該流路出口は、該第２のマイクロ流体チャネルの該入口に接続することにより、該流路と該第２のマイクロ流体チャネルとの間の流体連通を可能にする、流体コネクタと
を備え、
該流路は、該マイクロ流体システムへの該流体コネクタの接続前に、該流路の中への第１の体積より少ない制御された体積の流体の導入を可能にすることができる、体積制御要素をさらに備える、装置。
（態様４２）
前記体積制御要素は、フリットである、態様４１に記載の装置。
（態様４３）
基板に形成されるマイクロ流体システムであって、入口および出口を含む、第１のマイクロ流体チャネルと、入口および出口を含む、第２のマイクロ流体チャネルとを備える、マイクロ流体システムと、
流路入口および流路出口を含む流路を備える、該基板に接続されることができる流体コネクタであって、接続時に、該流路入口は、該第１のマイクロ流体チャネルの該出口に接続し、該流路出口は、該第２のマイクロ流体チャネルの該入口に接続する、流体コネクタと、
生物学的構成要素を穿刺することができる、試料採取要素をさらに備える、装置。
（態様４４）
前記生物学的構成要素は、ヒト皮膚である、態様４３に記載の装置。
（態様４５）
前記試料採取要素は、前記生物学的構成要素から流体試料を受容することができる、態様４３に記載の装置。
（態様４６）
前記流体コネクタは、前記生物学的実体から前記流路への流体の移動を可能にする、態様４３に記載の装置。
（態様４７）
前記試薬は、前記流路の表面を被覆する抗凝固剤を備える、態様１に記載の装置。
（態様４８）
前記試薬は、ヘパリンを備える、態様４７に記載の装置。
（態様４９）
前記流体コネクタの前記流路は、前記基板への該流体コネクタの接続前に、自身の中に配置される一連の試薬を含有する、態様１に記載の装置。
（態様５０）
前記流体コネクタの前記流路は、前記基板への該流体コネクタの接続前に、自身の中に配置される試料を含有する、態様１に記載の装置。
（態様５１）
前記第１のマイクロ流体チャネルは、少なくとも１０：１の、長さ対平均断面寸法を有する、態様３に記載の装置。
（態様５２）
マイクロ流体システムを備える基板であって、該マイクロ流体システムは、入口および出口を含む、第１のマイクロ流体チャネルと、入口および出口を含む、第２のマイクロ流体チャネルとを含む、基板と、
該基板への接続に合致するように構成される流体コネクタであって、流路入口および流路出口を含む流路を含み、該基板への該流体コネクタの接続時に、該流路入口は、該第１のマイクロ流体チャネルの該出口に接続し、該流路出口は、該第２のマイクロ流体チャネルの該入口に接続する、流体コネクタと、
該基板と関連する整列要素であって、該基板から延在し、該流体コネクタを受容および係合して、それにより、該基板に対する所定の設定構成に該コネクタを配置するように構成および配設される、空洞を備える、整列要素と
を備え、該流体コネクタは、摺動運動によって該整列要素に挿入されるように適合される、装置。
（態様５３）
前記空洞は、前記流体コネクタと前記整列要素との係合時に、前記流路入口および流路出口の位置から測定して少なくとも１ｃｍの深さを有する、態様５２に記載の装置。
（態様５４）
前記整列要素は、前記基板とほぼ垂直に延在する、態様５２に記載の装置。
（態様５５）
前記流体コネクタは、前記整列要素の一部分を補完する形状および構成を有する、整列構成要素を備える、態様５２に記載の装置。
（態様５６）
マイクロ流体システムを備える基板であって、入口および出口を含む、第１のマイクロ流体チャネルと、入口および出口を含む、第２のマイクロ流体チャネルとを含む、基板と、
該基板への接続に合致するように構成される流体コネクタであって、流路入口および流路出口を含む流路を備え、該基板への該流体コネクタの接続時に、該流路入口は、該第１のマイクロ流体チャネルの該出口に接続し、該流路出口は、該第２のマイクロ流体チャネルの該入口に接続する、流体コネクタと、
該基板と関連する整列要素であって、流体コネクタを受容および係合し、それにより、該基板に対する所定の設定構成に該コネクタを配置するように構成および配設される、整列要素と
を備え、
該整列要素は係合構成要素を備え、該係合構成要素は、整列要素が該流体構成要素を受容する際に、該流体コネクタの一部分に係合して、該整列要素に対する該流体コネクタの移動への実質的な抵抗を生成するように構成および配設される、装置。
（態様５７）
前記係合構成要素は、前記流体コネクタの係合構成要素を補完する、態様５６に記載の装置。
（態様５８）
前記整列要素は、前記基板とほぼ垂直に延在する、態様５６に記載の装置。
（態様５９）
前記整列要素は、少なくとも１ｃｍ２の面積にわたって前記流体コネクタに接触する、態様５６に記載の装置。
（態様６０）
前記係合構成要素は、前記流体コネクタと前記整列要素との係合時に、前記流路入口および流路出口の位置から測定して少なくとも１ｃｍの高さを有する、態様５６に記載の装置。
（態様６１）
マイクロ流体システムを備える基板であって、入口および出口を含む、第１のマイクロ流体チャネルと、入口および出口を含む、第２のマイクロ流体チャネルとを含む、基板と、
該基板への接続に合致するように構成される流体コネクタであって、流路入口および流路出口を含む流路を備え、該基板への該流体コネクタの接続時に、該流路入口は、該第１のマイクロ流体チャネルの該出口に接続し、該流路出口は、該第２のマイクロ流体チャネルの該入口に接続する、流体コネクタと、
該基板と関連し、該基板とほぼ垂直に延在する、整列要素と
を備え、
該整列要素は、該流体コネクタに係合して、それにより、該流体コネクタの該流路が該基板とほぼ垂直である、該基板に対する所定の設定構成に該コネクタを配置するように構成および配設される、装置。
【図１】
2015064373.tif 000003
【図２】
2015064373.tif 000004
【図３】
2015064373.tif 000005
【図４】
2015064373.tif 000006
【図５】
2015064373.tif 000007
【図６】
2015064373.tif 000008
【図７】
2015064373.tif 000009
【図８】
2015064373.tif 000010
【図９】
2015064373.tif 000011
【図１０Ａ】
2015064373.tif 000012
【図１０Ｂ】
2015064373.tif 000013
【図１１Ａ】
2015064373.tif 000014
【図１１Ｂ】
2015064373.tif 000015
【図１２Ａ】
2015064373.tif 000016
【図１２Ｂ】
2015064373.tif 000017
【図１２Ｃ】
2015064373.tif 000018
【図１２Ｄ】
2015064373.tif 000019
【図１２Ｅ】
2015064373.tif 000020
【図１３】
2015064373.tif 000021
【図１４】
2015064373.tif 000022
【図１５】
2015064373.tif 000023
【図１６】
2015064373.tif 000024
【図１７】
2015064373.tif 000025
【図１８】
2015064373.tif 000026
【図１９】
2015064373.tif 000027
【図２０】
2015064373.tif 000028